(57)【要約】  実施形態に係るセルラ基地局は、前記セルラ基地局に設定された無線ＬＡＮアクセスポイントのグループに関するＡＰグループ情報を、前記無線ＬＡＮアクセスポイントを管理する無線ＬＡＮ終端ノードに送るコントローラを備える。
2017026441.tif 000002
【特許請求の範囲】
【請求項１】
セルラ基地局であって、
前記セルラ基地局に設定された無線ＬＡＮアクセスポイントのグループに関するＡＰグループ情報を、前記無線ＬＡＮアクセスポイントを管理する無線ＬＡＮ終端ノードに送るコントローラを備えるセルラ基地局。
【請求項２】
前記コントローラは、前記セルラ基地局と前記無線ＬＡＮ終端ノードとの間のインターフェイスをセットアップする際に、前記ＡＰグループ情報を前記無線ＬＡＮ終端ノードに送る請求項１に記載のセルラ基地局。
【請求項３】
前記コントローラは、前記ＡＰグループ情報が更新された場合に、前記ＡＰグループ情報を前記無線ＬＡＮ終端ノードに送る請求項１に記載のセルラ基地局。
【請求項４】
前記コントローラは、無線ＬＡＮアクセスポイントを有効又は無効にするための要求を前記無線ＬＡＮ終端ノードに送る場合に、前記要求と共に前記ＡＰグループ情報を送る請求項１に記載のセルラ基地局。
【請求項５】
前記コントローラは、前記無線ＬＡＮアクセスポイントを有効又は無効にするために、前記無線ＬＡＮアクセスポイントが運用する周波数帯を指定する情報を前記要求に含める請求項４に記載のセルラ基地局。
【請求項６】
前記コントローラは、前記無線ＬＡＮ終端ノードから更新された情報を受信し、
前記コントローラは、前記更新された情報の受信に応じて、前記ＡＰグループ情報を前記無線ＬＡＮ終端ノードに送る請求項１に記載のセルラ基地局。
【請求項７】
前記コントローラは、前記無線ＬＡＮアクセスポイントのリソース状態に関する報告の要求と共に、前記ＡＰグループ情報を前記無線ＬＡＮ終端ノードに送る請求項１に記載のセルラ基地局。
【請求項８】
前記コントローラは、前記無線ＬＡＮアクセスポイントのグループ単位での前記無線ＬＡＮアクセスポイントのリソース状態に関する報告を、前記無線ＬＡＮ終端ノードから受け取る請求項１に記載のセルラ基地局。
【請求項９】
前記ＡＰグループ情報は、前記無線ＬＡＮアクセスポイントの識別情報と前記無線ＬＡＮアクセスポイントが属するグループの識別情報とを含む請求項１に記載のセルラ基地局。
【請求項１０】
セルラ基地局であって、
前記セルラ基地局に設定された無線ＬＡＮアクセスポイントのグループ単位での前記無線ＬＡＮアクセスポイントのリソース状態に関する報告を、前記無線ＬＡＮアクセスポイントを管理する無線ＬＡＮ終端ノードから受け取るコントローラを備えるセルラ基地局。
【請求項１１】
前記報告は、前記グループ単位での前記無線ＬＡＮアクセスポイントのリソース状態を示す値として、前記グループを構成する各無線ＬＡＮアクセスポイントのリソース状態に基づいて算出された統計値を含む請求項１０に記載のセルラ基地局。
【請求項１２】
前記報告は、前記グループ単位での前記無線ＬＡＮアクセスポイントのリソース状態を示す値として、前記グループを構成する各無線ＬＡＮアクセスポイントのリソース状態を示す値を含む請求項１０に記載のセルラ基地局。
【請求項１３】
前記コントローラは、前記グループ単位での前記無線ＬＡＮアクセスポイントのリソース状態に関する報告の要求を前記無線ＬＡＮ終端ノードに送り、
前記コントローラは、前記要求に基づく前記報告を前記無線ＬＡＮ終端ノードから受け取る請求項１０に記載のセルラ基地局。
【請求項１４】
前記コントローラは、前記報告に含めるリソース状態の種別及び前記報告を前記セルラ基地局に送る報告周期の少なくとも一方を前記要求に含める請求項１０に記載のセルラ基地局。
【請求項１５】
無線ＬＡＮアクセスポイントを管理する無線ＬＡＮ終端装置であって、
セルラ基地局に設定された無線ＬＡＮアクセスポイントのグループに関するＡＰグループ情報を前記セルラ基地局から受け取るコントローラを備える無線ＬＡＮ終端装置。
【請求項１６】
前記コントローラは、前記無線ＬＡＮアクセスポイントのグループ単位での前記無線ＬＡＮアクセスポイントのリソース状態に関する報告を、前記セルラ基地局に送る請求項１５に記載の無線ＬＡＮ終端装置。
【請求項１７】
前記コントローラは、前記セルラ基地局が管理するセル内の無線端末に無線リソースを提供する所定の無線ＬＡＮアクセスポイントの要求を受け取り、
前記コントローラは、前記所定の無線ＬＡＮアクセスポイントを含む前記無線ＬＡＮアクセスポイントのグループ単位での無線ＬＡＮアクセスポイントのリソース状態に基づいて、前記要求を受け入れるか否かを判断する請求項１５に記載の無線ＬＡＮ終端装置。
【請求項１８】
セルラ基地局であって、
コントローラを備え、
前記コントローラは、
無線端末から報告された無線ＬＡＮアクセスポイントに関する情報を無線ＬＡＮ終端ノードに送る処理と、
前記無線ＬＡＮアクセスポイントが属するグループに関するＡＰグループ情報を、前記無線ＬＡＮ終端ノードから受け取る処理と、を実行するセルラ基地局。
【請求項１９】
前記コントローラは、前記ＡＰグループ情報として、前記グループに属する、前記無線ＬＡＮアクセスポイントに関する情報と、当該無線ＬＡＮアクセスポイント以外の無線ＬＡＮアクセスポイントに関する情報とを、前記無線ＬＡＮ終端ノードから受け取る処理を実行する請求項１８に記載のセルラ基地局。
【請求項２０】
前記コントローラは、前記無線端末から報告された前記無線ＬＡＮアクセスポイントに関する情報の更新に応じて送信される前記ＡＰグループ情報を、前記無線ＬＡＮ終端ノードから受け取る処理を実行する請求項１８に記載のセルラ基地局。
【請求項２１】
前記コントローラは、前記グループに属する少なくとも１以上の無線ＬＡＮアクセスポイントに関する情報の更新に応じて送信される前記ＡＰグループ情報を、前記無線ＬＡＮ終端ノードから受け取る処理を実行する請求項１８に記載のセルラ基地局。
【請求項２２】
無線ＬＡＮ終端装置であって、
コントローラを備え、
前記コントローラは、
無線端末から報告された無線ＬＡＮアクセスポイントに関する情報をセルラ基地局から受け取る処理と、
前記無線ＬＡＮアクセスポイントが属するグループに関するＡＰグループ情報を、前記セルラ基地局に送る処理と、を実行する無線ＬＡＮ終端装置。
【請求項２３】
前記コントローラは、前記ＡＰグループ情報として、前記グループに属する、無線ＬＡＮアクセスポイントに関する情報と、当該無線ＬＡＮアクセスポイント以外の無線ＬＡＮアクセスポイントに関する情報とを、前記セルラ基地局に送る処理を実行する請求項２２に記載の無縁ＬＡＮ終端装置。
【請求項２４】
前記コントローラは、前記無線端末から前記セルラ基地局へ報告された前記無線ＬＡＮアクセスポイントに関する情報の更新に応じて、前記ＡＰグループ情報を前記セルラ基地局に送る処理を実行する請求項２２に記載の無線ＬＡＮ終端装置。
【請求項２５】
前記コントローラは、前記グループに属する少なくとも１以上の無線ＬＡＮアクセスポイントに関する情報の更新に応じて、前記ＡＰグループ情報を前記セルラ基地局に送る処理を実行する請求項２２に記載の無線ＬＡＮ終端装置。
【請求項２６】
前記コントローラは、更に、
前記無線ＬＡＮアクセスポイントに関する情報を、無線ＬＡＮアクセスポイントのグループを管理する管理ノードに送る処理と、
前記管理ノードから受け取った前記ＡＰグループ情報を前記セルラ基地局に送る処理と、を実行する請求項２２に記載の無線ＬＡＮ終端装置。
【請求項２７】
複数の無線ＬＡＮアクセスポイントを管理する無線ＬＡＮ終端装置であって、
コントローラを備え、
前記コントローラは、前記複数の無線ＬＡＮ識別情報を、Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局へ送る処理を実行し、
前記複数の無線ＬＡＮ識別情報は、前記無線ＬＡＮ終端装置と前記セルラ基地局との間に形成されたＸｗインターフェイスを介して送られる、無線ＬＡＮ終端装置。
【請求項２８】
Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局であって、
コントローラを備え、
前記コントローラは、前記セルラ基地局が管理する複数の無線ＬＡＮ識別情報を、無線ＬＡＮアクセスポイントを管理する無線ＬＡＮ終端ノードに送る処理を実行し、
前記複数の無線ＬＡＮ識別情報は、前記セルラ基地局と無線ＬＡＮ終端装置との間に形成されたＸｗインターフェイスを介して送られる、セルラ基地局。
【請求項２９】
前記コントローラは、前記複数の無線ＬＡＮ識別情報を、ＷＴ Ｃｏｎｆｉｇｕｒａｔｉｏｎ Ｕｐｄａｔｅメッセージに含めて前記セルラ基地局へ送る処理を実行する請求項２７に記載の無線ＬＡＮ終端装置。
【請求項３０】
前記コントローラは、前記複数の無線ＬＡＮ識別情報に加えて、前記無線ＬＡＮ終端装置の識別情報も前記セルラ基地局に送る処理を実行する請求項２７に記載の無線ＬＡＮ終端装置。
【発明の詳細な説明】
【技術分野】
【０００１】
本出願は、通信システムにおいて用いられる基地局セルラ及び無線ＬＡＮ終端装置に関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）は、リリース１２以降において、セルラ・ＷＬＡＮインターワーキング技術をサポートする（非特許文献１参照）。このような技術では、ＲＲＣコネクティッド状態又はＲＲＣアイドル状態の無線端末は、Ｅ−ＵＴＲＡＮとＷＬＡＮとの間で双方向のトラフィック切り替え（ネットワークセレクション及びトラフィック・ステアリング）を行う。【０００３】
ところで、セルラ・ＷＬＡＮインターワーキング技術を有効活用するために、Ｘｗインターフェイスの導入が検討されている（非特許文献２参照）。具体的には、基地局と、無線ＬＡＮアクセスポイントを管理する無線ＬＡＮ終端装置（ＷＴ：Ｗｉｒｅｌｅｓ  ＬＡＮ  Ｔｅｒｍｉｎａｔｉｏｎ）との間にＸｗインターフェイスが設定される。基地局は、例えば、ＷＬＡＮに関する情報（自セル内のＡＰに関する情報など）をＸｗインターフェイスを介して無線ＬＡＮ終端装置（無線ＬＡＮ終端ノード）から取得できる。
【先行技術文献】
【非特許文献】
【０００４】
【非特許文献１】３ＧＰＰ技術仕様書「ＴＳ  ３６．３００  V１２．６．０」  ２０１５年７月８日
【非特許文献２】３ＧＰＰ寄書「Ｒ３−１５０７４０」
【発明の概要】
【０００５】
一の実施形態に係るセルラ基地局は、前記セルラ基地局に設定された無線ＬＡＮアクセスポイントのグループに関するＡＰグループ情報を、前記無線ＬＡＮアクセスポイントを管理する無線ＬＡＮ終端ノードに送るコントローラを備える。
【０００６】
一の実施形態に係るセルラ基地局は、前セルラ記基地局に設定された無線ＬＡＮアクセスポイントのグループ単位での前記無線ＬＡＮアクセスポイントのリソース状態に関する報告を、前記無線ＬＡＮアクセスポイントを管理する無線ＬＡＮ終端ノードから受け取るコントローラを備える。
【０００７】
一の実施形態に係る無線ＬＡＮ終端装置は、無線ＬＡＮアクセスポイントを管理する前記無線ＬＡＮ終端装置は、セルラ基地局に設定された無線ＬＡＮアクセスポイントのグループに関するＡＰグループ情報を前記基地局から受け取るコントローラを備える。
【０００８】
一の実施形態に係るセルラ基地局は、コントローラを備える。前記コントローラは、無線端末から報告された無線ＬＡＮアクセスポイントに関する情報を無線ＬＡＮ終端ノードに送る処理と、前記無線ＬＡＮアクセスポイントが属するグループに関するＡＰグループ情報を、前記無線ＬＡＮ終端ノードから受け取る処理と、を実行する。
【０００９】
一の実施形態に係る無線ＬＡＮ終端装置は、コントローラを備える。前記コントローラは、無線端末から報告された無線ＬＡＮアクセスポイントに関する情報をセルラ基地局から受け取る処理と、前記無線ＬＡＮアクセスポイントが属するグループに関するＡＰグループ情報を、前記セルラ基地局に送る処理と、を実行する。
【００１０】
一の実施形態に係る無線ＬＡＮ終端装置は、複数の無線ＬＡＮアクセスポイントを管理する無線ＬＡＮ終端装置である。前記無線ＬＡＮ終端装置は、コントローラを備える。前記コントローラは、前記複数の無線ＬＡＮ識別情報を、Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局へ送る処理を実行する。前記複数の無線ＬＡＮ識別情報は、前記無線ＬＡＮ終端装置と前記セルラ基地局との間に形成されたＸｗインターフェイスを介して送られる。
【００１１】
一の実施形態に係るセルラ基地局は、Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局である。前記セルラ基地局は、コントローラを備える。前記コントローラは、前記セルラ基地局が管理する複数の無線ＬＡＮ識別情報を、無線ＬＡＮアクセスポイントを管理する無線ＬＡＮ終端ノードに送る処理を実行する。前記複数の無線ＬＡＮ識別情報は、前記セルラ基地局と無線ＬＡＮ終端装置との間に形成されたＸｗインターフェイスを介して送られる。
【図面の簡単な説明】
【００１２】
【図１】図１は、システム構成を示す図である。
【図２】図２は、ＬＴＥシステムにおける無線インターフェイスのプロトコルスタック図である。
【図３】図３は、ＵＥ１００を示すブロック図である。
【図４】図４は、ｅＮＢ２００を示すブロック図である。
【図５】図５は、ＡＰ３００を示すブロック図である。
【図６】図６は、ＷＴ６００を示すブロック図である。
【図７】図７は、第１実施形態に係る動作環境を説明するための図である。
【図８】図８（Ａ）及び図８（Ｂ）は、第１実施形態に係る動作（その１）を説明するためのシーケンス図である。
【図９】図９（Ａ）及び図９（Ｂ）は、第１実施形態に係る動作（その２）を説明するためのシーケンス図である。
【図１０】図１０は、第１実施形態に係る動作（その３）を説明するためのシーケンス図である。
【図１１】図１１は、第１実施形態に係る動作（その４）を説明するためのシーケンス図である。
【図１２】図１２は、第１実施形態に係る動作（その５）及び第２実施形態に係る動作を説明するためのシーケンス図である。
【図１３】図１３は、第２実施形態に係る動作を説明するための図である。
【図１４】図１４は、第２実施形態に係る動作を説明するためのシーケンス図である。
【図１５】図１５は、第３実施形態に係る動作を説明するためのシーケンス図である。
【図１６】図１６（Ａ）及び図１６（Ｂ）は、第３実施形態に係る動作を説明するための図である。
【図１７】図１７（Ａ）及び図１７（Ｂ）は、第３実施形態の変更例を説明するためのシーケンス図である。
【発明を実施するための形態】
【００１３】
［実施形態の概要］
現状の仕様では、基地局（セルラ基地局）と無線ＬＡＮ終端装置との間で、ＷＬＡＮに関する情報を適切に共有できない可能性がある。そこで、本出願では、基地局と無線ＬＡＮ終端装置とがＷＬＡＮに関する情報を適切に共有することを目的とする。
【００１４】
実施形態に係るセルラ基地局は、前記セルラ基地局に設定された無線ＬＡＮアクセスポイントのグループに関するＡＰグループ情報を、前記無線ＬＡＮアクセスポイントを管理する無線ＬＡＮ終端ノードに送るコントローラを備える。
【００１５】
前記コントローラは、前記セルラ基地局と前記無線ＬＡＮ終端ノードとの間のインターフェイスをセットアップする際に、前記ＡＰグループ情報を前記無線ＬＡＮ終端ノードに送ってもよい。
【００１６】
前記コントローラは、前記ＡＰグループ情報が更新された場合に、前記ＡＰグループ情報を前記無線ＬＡＮ終端ノードに送ってもよい。
【００１７】
前記コントローラは、無線ＬＡＮアクセスポイントを有効又は無効にするための要求を前記無線ＬＡＮ終端ノードに送る場合に、前記要求と共に前記ＡＰグループ情報を送ってもよい。
【００１８】
前記コントローラは、前記無線ＬＡＮアクセスポイントを有効又は無効にするために、前記無線ＬＡＮアクセスポイントが運用する周波数帯を指定する情報を前記要求に含めてもよい。
【００１９】
前記コントローラは、前記無線ＬＡＮ終端ノードから更新された情報を受信してもよい。前記コントローラは、前記更新された情報の受信に応じて、前記ＡＰグループ情報を前記無線ＬＡＮ終端ノードに送ってもよい。
【００２０】
前記コントローラは、前記無線ＬＡＮアクセスポイントのリソース状態に関する報告の要求と共に、前記ＡＰグループ情報を前記無線ＬＡＮ終端ノードに送ってもよい。
【００２１】
前記コントローラは、前記無線ＬＡＮアクセスポイントのグループ単位での前記無線ＬＡＮアクセスポイントのリソース状態に関する報告を、前記無線ＬＡＮ終端ノードから受け取ってもよい。
【００２２】
前記ＡＰグループ情報は、前記無線ＬＡＮアクセスポイントの識別情報と前記無線ＬＡＮアクセスポイントが属するグループの識別情報とを含んでもよい。
【００２３】
実施形態に係るセルラ基地局は、前記セルラ基地局に設定された無線ＬＡＮアクセスポイントのグループ単位での前記無線ＬＡＮアクセスポイントのリソース状態に関する報告を、前記無線ＬＡＮアクセスポイントを管理する無線ＬＡＮ終端ノードから受け取るコントローラを備える。
【００２４】
前記報告は、前記グループ単位での前記無線ＬＡＮアクセスポイントのリソース状態を示す値として、前記グループを構成する各無線ＬＡＮアクセスポイントのリソース状態に基づいて算出された統計値を含んでもよい。
【００２５】
前記報告は、前記グループ単位での前記無線ＬＡＮアクセスポイントのリソース状態を示す値として、前記グループを構成する各無線ＬＡＮアクセスポイントのリソース状態を示す値を含んでもよい。
【００２６】
前記コントローラは、前記グループ単位での前記無線ＬＡＮアクセスポイントのリソース状態に関する報告の要求を前記無線ＬＡＮ終端ノードに送ってもよい。前記コントローラは、前記要求に基づく前記報告を前記無線ＬＡＮ終端ノードから受け取ってもよい。
【００２７】
前記コントローラは、前記報告に含めるリソース状態の種別及び前記報告を前記セルラ基地局に送る報告周期の少なくとも一方を前記要求に含めてもよい。
【００２８】
一の実施形態に係る無線ＬＡＮ終端装置は、無線ＬＡＮアクセスポイントを管理する前記無線ＬＡＮ終端装置は、セルラ基地局に設定された無線ＬＡＮアクセスポイントのグループに関するＡＰグループ情報を前記セルラ基地局から受け取るコントローラを備える。
【００２９】
前記コントローラは、前記無線ＬＡＮアクセスポイントのグループ単位での前記無線ＬＡＮアクセスポイントのリソース状態に関する報告を、前記セルラ基地局に送ってもよい。
【００３０】
前記コントローラは、前記セルラ基地局が管理するセル内の無線端末に無線リソースを提供する所定の無線ＬＡＮアクセスポイントの要求を受け取ってもよい。前記コントローラは、前記所定の無線ＬＡＮアクセスポイントを含む前記無線ＬＡＮアクセスポイントのグループ単位での無線ＬＡＮアクセスポイントのリソース状態に基づいて、前記要求を受け入れるか否かを判断してもよい。
【００３１】
実施形態に係るセルラ基地局は、コントローラを備える。前記コントローラは、無線端末から報告された無線ＬＡＮアクセスポイントに関する情報を無線ＬＡＮ終端ノードに送る処理と、前記無線ＬＡＮアクセスポイントが属するグループに関するＡＰグループ情報を、前記無線ＬＡＮ終端ノードから受け取る処理と、を実行する。
【００３２】
前記コントローラは、前記ＡＰグループ情報として、前記グループに属する、前記無線ＬＡＮアクセスポイントに関する情報と、当該無線ＬＡＮアクセスポイント以外の無線ＬＡＮアクセスポイントに関する情報とを、前記無線ＬＡＮ終端ノードから受け取る処理を実行してもよい。
【００３３】
前記コントローラは、前記無線端末から報告された前記無線ＬＡＮアクセスポイントに関する情報の更新に応じて送信される前記ＡＰグループ情報を、前記無線ＬＡＮ終端ノードから受け取る処理を実行してもよい。
【００３４】
前記コントローラは、前記グループに属する少なくとも１以上の無線ＬＡＮアクセスポイントに関する情報の更新に応じて送信される前記ＡＰグループ情報を、前記無線ＬＡＮ終端ノードから受け取る処理を実行してもよい。
【００３５】
実施形態に係る無線ＬＡＮ終端装置は、コントローラを備える。前記コントローラは、無線端末から報告された無線ＬＡＮアクセスポイントに関する情報をセルラ基地局から受け取る処理と、前記無線ＬＡＮアクセスポイントが属するグループに関するＡＰグループ情報を、前記セルラ基地局に送る処理と、を実行する。
【００３６】
前記コントローラは、前記ＡＰグループ情報として、前記グループに属する、無線ＬＡＮアクセスポイントに関する情報と、当該無線ＬＡＮアクセスポイント以外の無線ＬＡＮアクセスポイントに関する情報とを、前記セルラ基地局に送る処理を実行してもよい。
【００３７】
前記コントローラは、前記無線端末から報告された前記無線ＬＡＮアクセスポイントに関する情報の更新に応じて、前記ＡＰグループ情報を前記セルラ基地局に送る処理を実行してもよい。
【００３８】
前記コントローラは、前記グループに属する少なくとも１以上の無線ＬＡＮアクセスポイントに関する情報の更新に応じて、前記ＡＰグループ情報を前記セルラ基地局に送る処理を実行してもよい。
【００３９】
前記コントローラは、更に、前記無線ＬＡＮアクセスポイントに関する情報を、無線ＬＡＮアクセスポイントのグループを管理する管理ノードに送る処理と、前記管理ノードから受け取った前記ＡＰグループ情報を前記セルラ基地局に送る処理と、を実行してもよい。
【００４０】
実施形態に係る無線ＬＡＮ終端装置は、複数の無線ＬＡＮアクセスポイントを管理する無線ＬＡＮ終端装置である。前記無線ＬＡＮ終端装置は、コントローラを備える。前記コントローラは、前記複数の無線ＬＡＮ識別情報を、Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局へ送る処理を実行する。前記複数の無線ＬＡＮ識別情報は、前記無線ＬＡＮ終端装置と前記セルラ基地局との間に形成されたＸｗインターフェイスを介して送られる。
【００４１】
前記コントローラは、前記複数の無線ＬＡＮ識別情報を、ＷＴ  Ｃｏｎｆｉｇｕｒａｔｉｏｎ  Ｕｐｄａｔｅメッセージに含めて前記セルラ基地局へ送る処理を実行してもよい。
【００４２】
前記コントローラは、前記複数の無線ＬＡＮ識別情報に加えて、前記無線ＬＡＮ終端装置の識別情報も前記セルラ基地局に送る処理を実行してもよい。
【００４３】
実施形態に係るセルラ基地局は、Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局である。前記セルラ基地局は、コントローラを備える。前記コントローラは、前記セルラ基地局が管理する複数の無線ＬＡＮ識別情報を、無線ＬＡＮアクセスポイントを管理する無線ＬＡＮ終端ノードに送る処理を実行する。前記複数の無線ＬＡＮ識別情報は、前記セルラ基地局と無線ＬＡＮ終端装置との間に形成されたＸｗインターフェイスを介して送られる。
【００４４】
以下、図面を参照して、３ＧＰＰ規格に準拠して構成されるセルラ通信システムであるＬＴＥシステムと無線ＬＡＮ（ＷＬＡＮ）システムとが連携可能であるケースを例に挙げて説明する。
【００４５】
（システム構成）
図１は、実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００４６】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００４７】
ＵＥ１００は、移動型の無線通信装置である。ＵＥ１００は無線端末（Ｕｓｅｒ  Ｅｑｕｉｐｍｅｎｔ）に相当する。ＵＥ１００は、セルラ通信及びＷＬＡＮ通信の両通信方式をサポートする端末（デュアル端末）である。
【００４８】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルに在圏するＵＥ１００との無線通信を行う。「セル」は、無線通信エリアの最小単位を示す用語として使用される他に、ＵＥ１００との無線通信を行う機能（リソース）を示す用語としても使用される。ｅＮＢ２００は、無線リソース管理（ＲＲＭ）機能、ユーザデータのルーティング機能、モビリティ制御及びスケジューリングのための測定制御機能等を有する。
【００４９】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）４００と接続される。また、ｅＮＢ２００は、Ｘｗインターフェイスを介して、後述するＷＴ６００と接続される。
【００５０】
ＥＰＣ２０は、複数のＭＭＥ／Ｓ−ＧＷ４００及びＯＡＭ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＯＡＭは、オペレータによって管理されるサーバ装置であり、Ｅ−ＵＴＲＡＮ１０の保守及び監視を行う。
【００５１】
ＷＬＡＮ３０は、ＷＬＡＮアクセスポイント（以下「ＡＰ」という）３００と、ＷＬＡＮ終端装置（以下、「ＷＴ」という）６００とを含む。ＡＰ３００は、例えばＬＴＥシステムのＮＷオペレータにより管理されるＡＰ（Ｏｐｅｒａｔｏｒ  ｃｏｎｔｒｏｌｌｅｄ  ＡＰ）である。ＷＴ６００は、ＷＬＡＮにおけるノードであり、Ｘｗインターフェイスを介してｅＮＢ２００と接続される。ＷＴ６００は、１以上のＡＰ３００を管理する。ＷＴ６００は、自身が管理するＡＰ３００の情報をｅＮＢ２００に送ることができる。また、ＷＴ６００は、ｅＮＢ２００から受け取った情報を自身が管理するＡＰ３００に送ることができる。
【００５２】
なお、Ｘｗインターフェイスは、３ＧＰＰ  ＲＡＮとＷＬＡＮとの間の論理インターフェイスである。Ｘｗインターフェイスは、ＬＴＥ（３ＧＰＰ  ＲＡＮ）側において、ｅＮＢ２００で終端し、ＷＬＡＮ側において、ＷＴ６００で終端する。図１において、Ｘｗインターフェイスは、ｅＮＢ２００とＷＴ６００とを直接的に結ぶインターフェイスであるが、ＭＭＥ／Ｓ−ＧＷ４００及びＰ−ＧＷ５００を経由するインターフェイスであってもよい。
【００５３】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００５４】
なお、ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＷＬＡＮ３０に関するＡＮＤＳＦ情報をＵＥ１００に提供する。
【００５５】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００５７】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００５８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００５９】
ＰＤＣＰ層は、ヘッダ圧縮・伸張、及び暗号化・復号化を行う。
【００６０】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態（コネクティッド状態）であり、そうでない場合、ＵＥ１００はＲＲＣアイドル状態（アイドル状態）である。
【００６１】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００６２】
（端末主導型の切り替え制御の基本動作）
３ＧＰＰのリリース１２以降において、セルラ・ＷＬＡＮ無線インターワーキング技術がサポートされている。このような技術では、ＲＲＣコネクティッド状態又はＲＲＣアイドル状態のＵＥ１００は、Ｅ−ＵＴＲＡＮ１０とＷＬＡＮ３０との間で双方向のトラフィック切り替え（ネットワークセレクション及びトラフィック・ステアリング）を行う。
【００６３】
当該トラフィック切り替えは、Ｅ−ＵＴＲＡＮ１０の補助により、ＵＥ１００主導（ＵＥ  ｂａｓｅｄ）で行われる。また、当該トラフィック切り替えは、ＡＰＮ（Ａｃｃｅｓｓ  Ｐｏｉｎｔ  Ｎａｍｅ）単位で行われる。以下において、このような切り替え制御を「ＵＥ主導型の切り替え制御」と称する。
【００６４】
Ｅ−ＵＴＲＡＮ１０は、ブロードキャストＲＲＣシグナリング又は個別（ｄｅｄｉｃａｔｅｄ）ＲＲＣシグナリングにより、補助情報（ＲＡＮ  ａｓｓｉｓｔａｎｃｅ  ｐａｒａｍｅｔｅｒｓ）をＵＥ１００に送信する。ブロードキャストＲＲＣシグナリングは、例えばＳＩＢ（Ｓｙｓｔｅｍ  Ｉｎｆｏｒｍａｔｉｏｎ  Ｂｌｏｃｋ）である。個別ＲＲＣシグナリングは、例えばＲＲＣ  Ｃｏｎｎｅｃｔｉｏｎ  Ｒｅｃｏｎｆｉｇｕｒａｔｉｏｎメッセージである。
【００６５】
補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ＵＥ主導型の切り替え制御の対象となるＷＬＡＮ識別子を含んでもよい。ＷＬＡＮ識別子は、ＳＳＩＤ、ＢＳＳＩＤ、ＨＥＳＳＩＤ等である。補助情報は、閾値（判定条件）が満たされるべき期間を指定するパラメータを含んでもよい。
【００６６】
ＵＥ主導型の切り替え制御をサポートするＵＥ１００は、補助情報を受信し、受信した補助情報を記憶する。ＵＥ１００は、セル再選択又はハンドオーバを行う際に、記憶している補助情報を破棄してもよい。
【００６７】
次に、ＵＥ１００は、ＵＥ主導型の切り替え制御を行う。
【００６８】
先ず、セルラ通信からＷＬＡＮ通信への切り替え、すなわち、Ｅ−ＵＴＲＡＮ１０からＷＬＡＮ３０への切り替えの一例について説明する。ＵＥ１００は、セルラに関する第１の判定条件及びＷＬＡＮに関する第２の判定条件に基づいて、セルラ通信からＷＬＡＮ通信に切り替えるか否かの切り替え判定を行う。具体的には、第１の判定条件及び第２の判定条件の両方が満たされた場合、ＵＥ１００は、セルラ通信からＷＬＡＮ通信への切り替えを行う。
【００６９】
RSRPmeas  <  ThreshServingOffloadWLAN,  LowP;  or
RSRQmeas  <  ThreshServingOffloadWLAN,  LowQ;
【００７０】
ここで、「ＲＳＲＰｍｅａｓ」はＵＥ１００で測定するセルラ受信信号の受信電力、すなわち参照信号受信電力（ＲＳＲＰ）である。「ＲＳＲＱｍｅａｓ」はＵＥ１００で測定するセルラ受信信号の受信品質、すなわち参照信号受信品質（ＲＳＲＱ）である。「ＴｈｒｅｓｈＳｅｒｖｉｎｇＯｆｆｌｏａｄＷＬＡＮ，ＬｏｗＰ」及び「ＴｈｒｅｓｈＳｅｒｖｉｎｇＯｆｆｌｏａｄＷＬＡＮ，ＬｏｗＱ」は、補助情報に含まれており、ＷＬＡＮ３０に切り替えるための閾値である。
【００７１】
第２の判定条件は、ターゲットＷＬＡＮに対する以下の条件である。
【００７２】
ChannelUtilizationWLAN  <  ThreshChUtilWLAN,  Low;  and
BackhaulRateDlWLAN  >  ThreshBackhRateDLWLAN,  High;  and
BackhaulRateUlWLAN  >  ThreshBackhRateULWLAN,  High;  and
BeaconRSSI  >  ThreshBeaconRSSIWLAN,  High;
【００７３】
ここで、「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Access  Network  Query  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩは、ＵＥ１００で測定するビーコン信号の受信信号強度を示す。「ThreshChUtilWLAN,  Low」、「ThreshBackhRateDLWLAN,  High」、「ThreshBackhRateULWLAN,  High」、「ThreshBeaconRSSIWLAN,  High」は、補助情報に含まれており、ＷＬＡＮ３０に切り替えるための閾値である。
【００７４】
なお、ＵＥ１００は、セルラ通信からＷＬＡＮ通信への切り替えを行う場合、Ｅ−ＵＴＲＡＮ１０とＷＬＡＮ３０との間で双方向のトラフィック切り替えを制御する上位層（ｈｉｇｈｅｒ  ｌａｙｅｒ／ｕｐｐｅｒ  ｌａｙｅｒ）に対して、第２の判定条件を満たしたＡＰ３００の識別子（ＷＬＡＮ識別子）（のリスト（ｌｉｓｔ  ｏｆ  ＷＬＡＮ  ｉｄｅｎｔｉｆｉｅｒｓ））と共に、ＷＬＡＮ通信へのトラフィック切り替えを示す情報（ｍｏｖｅ−ｔｒａｆｆｉｃ−ｔｏ−ＷＬＡＮ  ｉｎｄｉｃａｔｉｏｎ）を通知する。具体的には、ＵＥ１００内のＡＳレイヤが、ＷＬＡＮ識別子（及び当該情報）をＵＥ１００内のＮＡＳレイヤに通知し、ＵＥ１００内のＮＡＳレイヤが、ＮＡＳプロシージャを用いて、上位局（ＭＭＥ）に通知する。ＵＥ１００は、ＷＬＡＮ識別子の通知を受けた上位局からの指示に基づいて、セルラ通信からＷＬＡＮ通信への切り替え（ｅＮＢ２００を介する通信経路からＡＰ３００を介する通信経路への切り替え）を行う制御を実行する。
【００７５】
次に、ＷＬＡＮ通信からセルラ通信への切り替え、すなわち、ＷＬＡＮ３０からＥ−ＵＴＲＡＮ１０への切り替えの一例について説明する。ＵＥ１００は、セルラに関する第３の判定条件及びＷＬＡＮに関する第４の判定条件に基づいて、ＷＬＡＮ通信からセルラ通信に切り替えるか否かの切り替え判定を行う。具体的には、第３の判定条件又は第４の判定条件の一方が満たされた場合、ＵＥ１００は、ＷＬＡＮ通信からセルラ通信への切り替えを行う。
【００７６】
第３の判定条件は、Ｅ−ＵＴＲＡＮターゲットセルに対する以下の条件である。
【００７７】
RSRPmeas  >  ThreshServingOffloadWLAN,  HighP;  and
RSRQmeas  >  ThreshServingOffloadWLAN,  HighQ;
【００７８】
ここで、「ＴｈｒｅｓｈＳｅｒｖｉｎｇＯｆｆｌｏａｄＷＬＡＮ，ＨｉｇｈＰ」及び「ＴｈｒｅｓｈＳｅｒｖｉｎｇＯｆｆｌｏａｄＷＬＡＮ，ＨｉｇｈＱ」は、補助情報に含まれており、Ｅ−ＵＴＲＡＮ１０に切り替えるための閾値である。
【００７９】
第４の判定条件は、ソースＷＬＡＮに対する以下の条件である。
【００８０】
ChannelUtilizationWLAN  >  ThreshChUtilWLAN,  High;  or
BackhaulRateDlWLAN  <  ThreshBackhRateDLWLAN,  Low;  or
BackhaulRateUlWLAN  <  ThreshBackhRateULWLAN,  Low;  or
BeaconRSSI  <  ThreshBeaconRSSIWLAN,  Low;
【００８１】
ここで、「ThreshChUtilWLAN,  High」、「ThreshBackhRateDLWLAN,  Low」、「ThreshBackhRateULWLAN,  Low」、「ThreshBeaconRSSIWLAN,  Low」は、補助情報に含まれており、Ｅ−ＵＴＲＡＮ１０に切り替えるための閾値である。
【００８２】
（無線端末）
以下において、ＵＥ１００（無線端末）の構成について説明する。図３は、ＵＥ１００を示すブロック図である。
【００８３】
図３に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。また、ＵＥ１００は、セルラ通信とＷＬＡＮ通信とで共通に用いられるレシーバ１１０及びトランスミッタ１２０を備えてもよいし、セルラ通信用のレシーバ１１０及びトランスミッタ１２０と、ＷＬＡＮ通信用のレシーバ１１０及びトランスミッタ１２０とをそれぞれ備えてもよい。
【００８４】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換してコントローラ１３０に出力する。
【００８５】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換してアンテナから送信する。
【００８６】
コントローラ１３０は、ＵＥ１００における各種の制御を行う。コントローラ１３０は、レシーバ１１０及びトランシーバ１２０を制御できる。コントローラ１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。コントローラ１３０は、後述する各種の処理及び上述した各種の通信プロトコルを実行する。
【００８７】
（基地局）
以下において、ｅＮＢ２００（基地局）の構成について説明する。図４は、ｅＮＢ２００を示すブロック図である。
【００８８】
図４に示すように、ｅＮＢ２００は、レシーバ（受信部）２１０、トランスミッタ（送信部）２２０、コントローラ（制御部）２３０、及びネットワークインターフェイス２４０を備える。レシーバ２１０とトランスミッタ２２０とは、一体化されたトランシーバ（送受信部）であってもよい。
【００８９】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換してコントローラ２３０に出力する。
【００９０】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換してアンテナから送信する。
【００９１】
コントローラ２３０は、ｅＮＢ２００における各種の制御を行う。コントローラ２３０は、レシーバ２１０、トランスミッタ２２０及びネットワークインターフェイス２４０を制御できる。コントローラ２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。コントローラ２３０は、後述する各種の処理及び上述した各種の通信プロトコルを実行する。
【００９２】
ネットワークインターフェイス２４０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２４０は、Ｘ２インターフェイス上で行う通信及びＳ１インターフェイス上で行う通信等に使用される。
【００９３】
また、ネットワークインターフェイス２４０は、Ｘｗインターフェイスを介してＷＴ６００と接続される。ネットワークインターフェイス２４０は、Ｘｗインターフェイス上で行う通信等に使用される。
【００９４】
（無線ＬＡＮアクセスポイント）
以下において、ＡＰ３００（無線ＬＡＮアクセスポイント）の構成について説明する。図５は、ＡＰ３００を示すブロック図である。
【００９５】
図５に示すように、ＡＰ３００は、レシーバ（受信部）３１０、トランスミッタ（送信部）３２０、コントローラ（制御部）３３０、及びネットワークインターフェイス３４０を備える。レシーバ３１０とトランスミッタ３２０とは、一体化されたトランシーバ（送受信部）であってもよい。
【００９６】
レシーバ３１０は、コントローラ３３０の制御下で各種の受信を行う。レシーバ３１０は、アンテナを含む。レシーバ３１０は、アンテナが受信する無線信号をベースバンド信号（受信信号）に変換してコントローラ３３０に出力する。
【００９７】
トランスミッタ３２０は、コントローラ３３０の制御下で各種の送信を行う。トランスミッタ３２０は、アンテナを含む。トランスミッタ３２０は、コントローラ３３０が出力するベースバンド信号（送信信号）を無線信号に変換してアンテナから送信する。
【００９８】
コントローラ３３０は、ＡＰ３００における各種の制御を行う。コントローラ３３０は、レシーバ３１０、トランスミッタ３２０及びネットワークインターフェイス３４０を制御できる。コントローラ３３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。コントローラ３３０は、後述する各種の処理及び上述した各種の通信プロトコルを実行する。
【００９９】
ネットワークインターフェイス３４０は、所定のインターフェイスを介してバックホールと接続される。また、ネットワークインターフェイス３４０は、ＷＴ６００と接続され、ＷＴ６００との通信等に使用される。
【０１００】
（無線ＬＡＮ終端装置）
以下において、ＷＴ６００（無線ＬＡＮ終端装置）の構成について説明する。図６は、ＷＴ６００を示すブロック図である。
【０１０１】
図６に示すように、ＷＴ６００は、コントローラ（制御部）６３０及びネットワークインターフェイス６４０を備える。
【０１０２】
コントローラ６３０は、ＷＴ６００における各種の制御を行う。コントローラ６３０は、ネットワークインターフェイス６４０を制御できる。コントローラ６３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。コントローラ６３０は、後述する各種の処理及び上述した各種の通信プロトコルを実行する。
【０１０３】
ネットワークインターフェイス６４０は、所定のインターフェイスを介してバックホールと接続される。また、ネットワークインターフェイス６４０は、ＡＰ３００と接続され、ＡＰ３００との通信等に使用される。
【０１０４】
また、ネットワークインターフェイス６４０は、Ｘｗインターフェイスを介してｅＮＢ２００と接続される。ネットワークインターフェイス６４０は、Ｘｗインターフェイス上で行う通信等に使用される。
【０１０５】
［第１実施形態］
以下において、第１実施形態について、図７から図１２を用いて説明する。図７は、第１実施形態に係る動作環境を説明するための図である。図８（Ａ）は、第１実施形態に係る動作（その１）を説明するためのシーケンス図である。図８（Ｂ）は、第１実施形態に係る動作（その１）を説明するための図である。図９（Ａ）は、第１実施形態に係る動作（その２）を説明するためのシーケンス図である。図９（Ｂ）は、第１実施形態に係る動作（その２）を説明するための図である。図１０は、第１実施形態に係る動作（その３）を説明するためのシーケンス図である。図１１は、第１実施形態に係る動作（その４）を説明するためのシーケンス図である。図１２は、第１実施形態に係る動作（その５）を説明するためのシーケンス図である。
【０１０６】
図７に示すように、ｅＮＢ２００は、セルを管理する。ｅＮＢ２００が管理するセル内には、複数のＡＰ３００が位置する。
【０１０７】
ｅＮＢ２００は、自セル内に位置する複数のＡＰ３００を把握している。例えば、ｅＮＢ２００は、ＵＥ１００からのＡＰ３００に関する報告により、自セル内に位置する複数のＡＰ３００を把握してもよい。ｅＮＢ２００は、ＷＴ６００が管理するＡＰ３００の情報をＷＴ６００から受け取ることにより、自セル内に位置する複数のＡＰ３００を把握してもよい。
【０１０８】
ｅＮＢ２００は、自セル内に位置する複数のＡＰ３００をグループ毎に管理する。まず、ｅＮＢ２００は、複数のＡＰ３００をグループ分けする。すなわち、ｅＮＢ２００は、各ＡＰ３００が属するＡＰグループを設定する。本実施形態において、図７に示すように、ｅＮＢ２００は、ＡＰ３００−１ＡからＡＰ３００−３ＡをＡＰグループＡに設定し、ＡＰ３００−１ＢからＡＰ３００−５ＢをＡＰグループＢに設定する。従って、ＡＰ３００−１ＡからＡＰ３００−３Ａが、ＡＰグループＡに属する。ＡＰ３００−１ＢからＡＰ３００−５Ｂが、ＡＰグループＢに属する。
【０１０９】
ｅＮＢ２００は、ＡＰの能力（Ｃａｐａｂｉｌｉｔｙ）に基づいてＡＰグループを設定してもよい。ｅＮＢ２００は、例えば、ＡＰ３００が運用する周波数帯に基づいて、ＡＰ３００が属するＡＰグループを設定する。ｅＮＢ２００は、同じ周波数帯を運用する複数のＡＰ３００を同じＡＰグループに設定してもよい。ｅＮＢ２００は、ＵＥ１００が複数の周波数帯を利用できるように、異なる周波数帯を運用する複数のＡＰ３００を同じＡＰグループに設定してもよい。
【０１１０】
ｅＮＢ２００は、ＵＥ１００からのＡＰ３００に関する報告に基づいてＡＰグループを設定してもよい。例えば、ＵＥ１００は、ＡＰ３００からの無線信号（ビーコン信号）を検知した場合に、検知したＡＰ３００の識別情報を含む報告をｅＮＢ２００に送信できる。ｅＮＢ２００は、ＵＥ１００からの報告に基づいて、互いに近接する複数のＡＰ３００を特定し、互いに近接する複数のＡＰ３００を同じグループに設定してもよい。ＵＥ１００からの報告がＡＰ３００を検知した時間を示す情報及びＡＰ３００の無線信号の受信強度を示す情報などを含む場合は、ｅＮＢ２００は、時間を示す情報及び／又は受信強度を示す情報に基づいて、ＡＰ３００が属するＡＰグループを設定してもよい。
【０１１１】
また、ＯＡＭ５００が、複数のＡＰ３００をグループ分けしてもよい。ＯＡＭ５００は、ｅＮＢ２００と同様に、グループ分けすることができる。ＯＡＭ５００は、ｅＮＢ２００及び／又はＷＴ６００からグループ分けに必要な情報（ＵＥ１００からの報告など）を受け取り、グループ分けすることができる。ＯＡＭ５００は、ＡＰグループ及びＡＰグループに属するＡＰ３００の情報を含む設定情報をｅＮＢ２００に送る。ｅＮＢ２００は、設定情報に基づいて、ＡＰグループを設定する。
【０１１２】
ｅＮＢ２００は、ｅＮＢ２００に設定されたＡＰグループに関するＡＰグループ情報をＷＴ６００に送る。ＷＴ６００は、ＡＰグループ情報に基づいて、ｅＮＢ２００に設定されたＡＰグループを知ることができる。これにより、ＷＴ６００は、ｅＮＢ２００と同様に、自身が管理するＡＰ３００をグループ単位で管理することができる。
【０１１３】
ここで、ｅＮＢ２００（又はＥＰＣ２０）が（複数の）ＡＰ３００からなるグループ単位で、各ＡＰ３００を管理する場合に、ＷＴ６００は、ｅＮＢ２００に設定された各ＡＰ３００が属するＡＰグループを知らない可能性がある。そこで、ｅＮＢ２００は、以下の少なくともいずれかの方法により、ＡＰグループ情報をＷＴ６００に送ることができる。
【０１１４】
（Ａ）Ｘｗセットアップ手順
図８（Ａ）に示すように、ｅＮＢ２００は、ｅＮＢ２００とＷＴ６００との間のＸｗインターフェイスをセットアップする際に、ＡＰグループ情報をＷＴ６００に送ることができる。すなわち、ｅＮＢ２００は、Ｘｗセットアップ手順において、ＡＰグループ情報をＷＴ６００に送ることができる。Ｘｗセットアップ手順は、Ｘｗインターフェイス上で正確に相互運用するために、ｅＮＢ２００及びＷＴ６００のために必要な設定データを交換するための手順である。
【０１１５】
例えば、ｅＮＢ２００は、ＡＰグループ情報を含むＸｗセットアップ要求（Ｘｗ  ＳＥＴＵＰ  ＲＥＱＵＥＳＴ）メッセージをＷＴ６００に送る。Ｘｗセットアップ要求メッセージは、Ｘｗセットアップ手順を開始するためのメッセージである。また、Ｘｗセットアップ要求メッセージは、Ｘｗインターフェイスを設定するために必要な情報を転送するためのメッセージである。
【０１１６】
図８（Ｂ）に示すように、ＡＰグループ情報は、ＡＰ３００の識別情報（ＡＰ  ＩＤ）と当該ＡＰ３００が属するグループの識別情報（Ｇｒｏｕｐ  ＩＤ）とを含む。ＡＰ  ＩＤは、ＷＬＡＮ識別子（ＳＳＩＤ、ＢＳＳＩＤ、ＥＳＳＩＤ、ＨＥＳＳＩＤ等）に対応する。
【０１１７】
Ｇｒｏｕｐ  ＩＤとＧｒｏｕｐ  ＩＤが示すグループに含まれるＡＰのリスト情報（Ｓｅｒｖｅｄ  ＡＰｓ  Ｌｉｓｔ）とが関連付けられていてもよい。ＡＰグループ情報は、ｅＮＢ２００が管理するＡＰグループのリスト情報（Ｓｅｒｖｅｄ  ＡＰ  ｇｒｏｕｐｓ  Ｌｉｓｔ）を含んでもよい。ＡＰグループのリスト情報は、各グループのＡＰのリスト情報（Ｓｅｒｖｅｄ  ＡＰｓ  Ｌｉｓｔ）を含んでいてもよい。例えば、ＡＰグループ情報は、「ＡＰグループＡ」と「ＡＰグループＢ」とのＡＰのリスト情報を含む。ＡＰグループＡのＡＰのリスト情報は、ＡＰ３００−１Ａ、ＡＰ３００−２Ａ及びＡＰ３００−３Ａのそれぞれの識別子を含む。
【０１１８】
また、ｅＮＢ２００は、Ｘｗセットアップ要求メッセージをＷＴ６００から受信した場合には、ＡＰグループ情報を含むＸｗセットアップ応答（Ｘｗ  ＳＥＴＵＰ  ＲＥＳＰＯＮＳＥ）メッセージをＷＴ６００に送ってもよい。Ｘｗセットアップ応答メッセージは、Ｘｗセットアップ要求に対する応答メッセージである。また、Ｘｗインターフェイスを設定するために必要な情報を転送するためのメッセージである。
【０１１９】
（Ｂ）ｅＮＢ設定更新手順
図９（Ａ）に示すように、ｅＮＢ２００は、ＡＰグループ情報が更新された場合に、ＡＰグループ情報をＷＴ６００に送ることができる。すなわち、ｅＮＢ２００は、ｅＮＢ設定更新手順において、ＡＰグループ情報をＷＴ６００に送ることができる。ｅＮＢ設定更新手順は、Ｘｗインターフェイス上で正確に相互運用するために、ｅＮＢ２００及びＷＴ６００のために必要な設定データを更新するための手順である。
【０１２０】
例えば、ｅＮＢ２００は、ＡＰグループ情報を含むｅＮＢ設定更新（ＥＮＢ  ＣＯＮＦＩＧＵＲＡＴＩＯＮ  ＵＰＤＡＴＥ）メッセージをＷＴ６００に送る。ｅＮＢ設定更新メッセージは、更新された情報を転送するためのメッセージである。ｅＮＢ設定更新メッセージは、ＡＰグループ情報を含むように拡張された既存のｅＮＢ設定更新メッセージであってもよいし、ＷＴ６００に更新された情報を転送するために新たに規定されたメッセージであってもよい。
【０１２１】
図９（Ｂ）に示すように、ｅＮＢ設定更新メッセージは、ｅＮＢ２００が管理するＡＰグループとして追加されたＡＰグループの情報（Ｓｅｒｖｅｄ  ＡＰ  ｇｒｏｕｐｓ  Ｔｏ  Ａｄｄ）を含んでもよい。追加されたＡＰグループの情報は、上述の「（Ａ）Ｘｗセットアップ手順」と同様の情報を含むことができる（図８（Ｂ）参照）。
【０１２２】
また、ｅＮＢ２００は、変更されたＡＰグループの情報（Ｓｅｒｖｅｄ  ＡＰ  ｇｒｏｕｐｓ  Ｔｏ  Ｍｏｄｉｆｙ）を含むｅＮＢ設定更新メッセージをＷＴ６００に送ってもよい。例えば、ｅＮＢ２００は、既存のＡＰグループに新たにＡＰ３００が追加された場合、又は、既存のＡＰグループに属するＡＰ３００が別のＡＰグループに追加された場合に、ＡＰ３００の識別情報と当該ＡＰ３００が属するグループの識別情報とを含む変更されたＡＰグループの情報をｅＮＢ設定更新メッセージに含めてもよい。また、ｅＮＢ２００は、ＡＰグループからＡＰ３００が削除された場合に、削除されたＡＰ３００の識別情報をｅＮＢ設定更新メッセージに含めてもよい。ｅＮＢ２００は、削除されたＡＰ３００が属するＡＰグループの識別情報をｅＮＢ設定更新メッセージに含めてもよいし、含めなくてもよい。
【０１２３】
また、ｅＮＢ２００は、削除されたＡＰグループの情報（Ｓｅｒｖｅｄ  ＡＰ  ｇｒｏｕｐｓ  Ｔｏ  Ｄｅｌｅｔｅ）を含むｅＮＢ設定更新メッセージをＷＴ６００に送ってもよい。例えば、ｅＮＢ２００は、ＡＰグループが削除された場合に、削除されたＡＰグループの識別情報を含む削除されたＡＰグループの情報をｅＮＢ設定更新メッセージに含めることができる。
【０１２４】
また、ｅＮＢ２００は、ＡＰグループ情報が更新されない場合であっても、ＡＰグループの情報を含むｅＮＢ設定更新メッセージをＷＴ６００に送ってもよい。例えば、ｅＮＢ２００は、ＷＴ６００にＡＰグループ情報をまだ送っていない場合に、ＡＰグループ情報をｅＮＢ設定更新メッセージにより送ってもよい。
【０１２５】
（Ｃ）ＡＰアクティベーション手順／ＡＰディアクティベーション手順
図１０に示すように、ｅＮＢ２００は、ＡＰ３００を有効（アクティベーション）にするための要求をＷＴ６００に送る場合に、要求とともにＡＰグループ情報を送ることができる。すなわち、ｅＮＢ２００は、ＡＰアクティベーション手順において、ＡＰグループ情報をＷＴ６００に送ることができる。ＡＰアクティベーション手順は、無効なＡＰ３００を有効（ＯＮ）に切り替えることをＷＴ６００に要求するための手順である。
【０１２６】
例えば、ｅＮＢ２００は、ＡＰグループ情報を含むＡＰアクティベーション要求（ＡＰ  ＡＣＴＩＶＡＴＩＯＮ  ＲＥＱＵＥＳＴ）メッセージをＷＴ６００に送る。ＡＰアクティベーション要求メッセージは、無効なＡＰ３００を有効にするためのメッセージである。ＡＰアクティベーション要求メッセージは、スイッチがオフされたＡＰ３００（又はＡＰ３００が備える、スイッチがオフされた通信機（送信機及び／又は受信機））をオンにするためのメッセージであってもよい。
【０１２７】
ＡＰアクティベーション要求メッセージは、有効にするＡＰ３００に関する有効ＡＰ情報を含む。有効ＡＰ情報は、ＡＰ３００の識別情報であってもよいし、ＡＰグループの識別情報であってもよい。有効ＡＰ情報は、ＡＰ３００が運用する周波数帯を指定する情報であってもよい。ＷＴ６００は、有効ＡＰ情報がＡＰ３００の識別情報である場合、当該ＡＰ３００を有効にする。ＷＴ６００は、有効ＡＰ情報がＡＰグループの識別情報である場合、当該ＡＰグループに属する全てのＡＰ３００を有効にする。ＷＴ６００は、有効ＡＰ情報が周波数帯を指定する情報である場合、当該周波数帯を運用する全てのＡＰ３００を有効にする。ＷＴ６００は、ＡＰ３００が複数の周波数帯を運用する場合、ＡＰ３００が指定された周波数のみを運用するように制御してもよい。例えば、有効ＡＰ情報が２．４ＧＨｚを指定する情報である場合、ＷＴ６００は、２．４ＧＨｚ帯を運用するＡＰ３００を有効にする。有効ＡＰ情報がＡＰグループＡの５ＧＨｚを指定する情報である場合、ＷＴ６００は、ＡＰグループＡに属する５ＧＨｚ帯を運用する全てのＡＰ３００を有効にする。ＡＰグループＡに属するＡＰ３００は、５ＧＨｚ帯での運用を再開する。なお、有効ＡＰ情報が所定のＡＰ３００の５ＧＨｚを指定する情報である場合、ＷＴ６００は、ＡＰ３００（例えば、ＡＰ３００−１Ａ）のみを有効にする。ＡＰ３００−１Ａは、５ＧＨｚ帯での運用を再開する。
【０１２８】
また、ＡＰアクティベーション要求メッセージは、ｅＮＢ２００が管理するＡＰグループ情報として、上述にて説明したＡＰグループ情報を含むことができる。
【０１２９】
また、ｅＮＢ２００は、ＡＰ３００を無効（ディアクティベーション）にするための要求をＷＴ６００に送る場合に、要求とともにＡＰグループ情報を送ることができる。すなわち、ｅＮＢ２００は、ＡＰディアクティベーション手順において、ＡＰグループ情報をＷＴ６００に送ることができる。ＡＰディアクティベーション手順は、有効なＡＰ３００を無効（ＯＦＦ）に切り替えることをＷＴ６００に要求するための手順である。
【０１３０】
例えば、ｅＮＢ２００は、ＡＰグループ情報を含むＡＰディアクティベーション要求（ＡＰ  ＤＥＡＣＴＩＶＡＴＩＯＮ  ＲＥＱＵＥＳＴ）メッセージをＷＴ６００に送る。ＡＰディアクティベーション要求メッセージは、有効なＡＰ３００を無効にするためのメッセージである。ＡＰディアクティベーション要求メッセージは、スイッチがオンされたＡＰ３００（又はＡＰ３００が備える、スイッチがオンされた通信機（送信機及び／又は受信機））をオフにするためのメッセージであってもよい。
【０１３１】
ＡＰディアクティベーション要求メッセージは、無効にするＡＰ３００に関する無効ＡＰ情報を含む。無効ＡＰ情報は、有効ＡＰ情報と同様の種類の情報である。また、ＡＰディアクティベーション要求メッセージは、ｅＮＢ２００が管理するＡＰグループ情報として、上述にて説明したＡＰグループ情報を含むことができる。
【０１３２】
（Ｄ）ＷＴ設定更新手順
図１１に示すように、ＷＴ６００は、情報を更新した場合に、更新された情報をｅＮＢ２００に送ることができる。具体的には、ＷＴ６００は、ＷＴ設定更新手順において、更新された情報を含むＷＴ設定更新（ＷＴ  ＣＯＮＦＩＧＵＲＡＴＩＯＮ  ＵＰＤＡＴＥ）メッセージをｅＮＢ２００に送ることができる。ＷＴ設定更新メッセージは、更新された情報を転送するためのメッセージである。
【０１３３】
例えば、ＷＴ６００は、自身の管理するＡＰ３００の情報（リスト）が更新された場合に、更新された情報をｅＮＢ２００に送る。ＡＰ３００の情報は、例えば、新たなＡＰ３００が追加された場合、リストからＡＰ３００が削除された場合、又は、ＡＰ３００の設定が変更された場合に、更新される。例えば、ＷＴ６００は、有効なＡＰ３００が無効に切り替わった場合に、ＡＰ３００の設定を変更する。ＷＴ６００は、同様に、無効なＡＰ３００が有効に切り替わった場合に、ＡＰ３００の設定を変更する。この場合、ＷＴ６００は、有効なＡＰ３００又は無効なＡＰ３００（の通信機）を示す情報を更新された情報としてｅＮＢ２００に送ることができる。なお、ＷＴ６００は、ｅＮＢ２００からのメッセージに基づいて上記切り替えが行われた場合に、更新された情報をｅＮＢ２００に送ることを省略してもよい。また、ＷＴ６００は、ＡＰ３００の運用周波数帯の変更、ＡＰ３００の位置の変更などが発生した場合に、ＡＰ３００の設定を変更する。
【０１３４】
ｅＮＢ２００は、更新された情報の受信に応じて、ＡＰグループ情報をＷＴ６００に送ることができる。すなわち、ｅＮＢ２００は、ＷＴ設定更新手順において、ＡＰグループ情報をＷＴ６００に送ることができる。ＷＴ設定更新手順は、Ｘｗインターフェイス上で正確に相互運用するために、ｅＮＢ２００及びＷＴ６００のために必要な設定データを更新するための手順である。
【０１３５】
例えば、ｅＮＢ２００は、ＡＰグループ情報を含むＷＴ設定更新承認（ＷＴ  ＣＯＮＦＩＧＵＲＡＴＩＯＮ  ＵＰＤＡＴＥ  ＡＣＫＮＯＷＬＥＤＧＥ）メッセージをＷＴ６００に送る。ＷＴ設定更新承認メッセージは、更新された情報を承認（ＡＣＫ）するためのメッセージである。例えば、ｅＮＢ２００は、ＷＴ設定更新メッセージが新たに追加されたＡＰ３００の情報を含む場合、追加されたＡＰ３００が属するＡＰグループを設定できる。ｅＮＢ２００は、追加されたＡＰ３００が属するＡＰグループの識別情報を含むＷＴ設定更新承認メッセージを送ることができる。
【０１３６】
ＷＴ設定更新承認メッセージは、ｅＮＢ２００が管理するＡＰグループ情報として、上述にて説明したＡＰグループ情報を含むことができる。
【０１３７】
（Ｅ）リソース状態要求手順
図１２に示すように、ｅＮＢ２００は、ＡＰ３００のリソース状態に関する報告の要求と共に、ＡＰグループ情報をＷＴ６００に送ることができる。すなわち、ｅＮＢ２００は、リソース状態要求手順において、ＡＰグループ情報をＷＴ６００に送ることができる。リソース状態要求手順は、ＷＴ６００が管理するＡＰ３００の負荷測定の報告を要求するための手順である。
【０１３８】
例えば、ｅＮＢ２００は、ＡＰグループ情報を含むリソース状態要求（ＲＥＳＯＵＲＣＥ  ＳＴＡＴＵＳ  ＲＥＱＵＥＳＴ）メッセージをＷＴ６００に送る。リソース状態要求メッセージは、当該メッセージで与えられたパラメータに従って要求された測定をＷＴ６００が開始するためのメッセージである。リソース状態要求メッセージは、ＡＰグループ情報を含むように拡張された既存のリソース状態要求メッセージであってもよいし、ＷＴ６００にリソース状態を要求するために新たに規定されたメッセージであってもよい。
【０１３９】
また、リソース状態要求メッセージは、ｅＮＢ２００が管理するＡＰグループ情報として、上述にて説明したＡＰグループ情報を含むことができる。なお、リソース状態要求メッセージは、後述するように、ＡＰグループ単位でのＡＰのリソース状態に関する報告を要求するものであってもよい。
【０１４０】
以上のように、ｅＮＢ２００は、ｅＮＢ２００に設定されたＡＰグループ情報をＷＴ６００に送ることができる。ＷＴ６００は、ｅＮＢ２００に設定されたＡＰグループ情報を受け取ることができる。これにより、ＷＴ６００は、ＡＰグループ情報を知ることができる。その結果、ＷＴ６００は、ＡＰ３００をｅＮＢ２００に設定されたグループ単位で管理することができる。
【０１４１】
なお、ｅＮＢ２００は、設定されたＡＰグループ情報をＵＥ１００に通知できる。ＵＥ１００は、自身が接続（通信）するＡＰ３００が属するＡＰグループ内の他のＡＰ３００に対して、ＵＥ主導でトラフィック切り替えを行うことができる。一方、ＵＥ１００は、ＷＬＡＮ３０との接続（トラフィック切り替え）を開始する場合、又は、別のＡＰグループに属するＡＰ３００に対してトラフィック切り替えを行う場合、ｅＮＢ２００からの指示がなければ、トラフィック切り替えるが行えなくてもよい。
【０１４２】
例えば、図７において、ＵＥ１００−１は、ＡＰ３００−１Ａに対して、トラフィック切り替えを初めて開始する場合、ｅＮＢ２００からのトラフィック切り替え指示（Ｓｔｅｅｒｉｎｇ  ｃｏｍｍａｎｄ）が必要であってもよい。ＵＥ１００−１は、ｅＮＢ２００からのトラフィック切り替え指示を受信してから、トラフィック切り替えを開始する。従って、ＵＥ１００−１は、補助情報に基づいて、セルラ通信からＷＬＡＮ通信への切り替えを行うための判定条件が満たされた場合であっても、自律的にトラフィック切り替えを行わない。例えば、ＵＥ１００−１は、ＡＰグループＡからＡＰグループＢへの自律的なトラフィック切り替えを行わない。
【０１４３】
一方、ＵＥ１００−２は、ＡＰ３００−１Ｂへのトラフィック切り替えを既に行っていると仮定する。ＵＥ１００−２は、ｅＮＢ２００からのＡＰグループ情報に基づいて、ＡＰ３００−１ＢとＡＰ３００−２Ｂとが同一のＡＰグループＢに属すると判断する。ＵＥ１００−２は、ＡＰ３００―２Ｂに対する判定条件が満たされた場合に、ｅＮＢ２００からのトラフィック切り替え指示を受信せずに、トラフィック切り替えを開始できる。すなわち、ＵＥ１００−２は、同一ＡＰグループに属するＡＰ３００どうしにトラフィック切り替えを行う場合は、ｅＮＢ２００からのトラフィック切り替え指示は不要であってもよい。
【０１４４】
［第２実施形態］
次に、第２実施形態について、図１２から図１４を用いて説明する。図１２は、第２実施形態に係る動作を説明するためのシーケンス図である。図１３は、第２実施形態に係る動作を説明するための図である。図１４は、第２実施形態に係る動作を説明するためのシーケンス図である。
【０１４５】
第１実施形態では、ｅＮＢ２００がＡＰグループ情報をＷＴ６００に送るケースについて説明した。第２実施形態では、ＷＴ６００が、ＡＰグループ単位でのＡＰのリソース状態に関する報告をｅＮＢ２００に送るケースについて説明する。なお、第１実施形態と同様の部分は、説明を適宜省略する。
【０１４６】
第１実施形態で説明したように、ＵＥ１００が、同一のＡＰグループ内のＡＰ３００に対して、ｅＮＢ２００からの指示なく、自律的なトラフィック切り替えを行うことを想定する。この場合、ＵＥ１００は、ｅＮＢ２００からの指示がないため、新たに接続したＡＰ３００においてＵＥスループットが保証されない可能性がある。そこで、以下の技術により、グループ単位でのＵＥスループットを保証することが可能となる。
【０１４７】
図１２に示すように、ｅＮＢ２００は、リソース状態要求メッセージをＷＴ６００に送る。ここで、リソース状態要求メッセージは、ＡＰグループ単位でのＡＰのリソース状態に関する報告を要求するメッセージである。
【０１４８】
例えば、図１３に示すように、リソース状態要求メッセージは、報告の対象となるＡＰグループの情報（Ｇｒｏｕｐ  Ｔｏ  Ｒｅｐｏｒｔ／Ｇｒｏｕｐ  Ｔｏ  Ｒｅｐｏｒｔ  Ｉｔｅｍ）を含んでもよい。ＡＰグループの情報は、グループの識別情報（Ｇｒｏｕｐ  ＩＤ）を含んでもよい。また、リソース状態要求メッセージは、報告の対象となるＡＰグループに属するＡＰ３００の識別情報（ＡＰ  ＩＤ）を含んでもよい。さらに、リソース状態要求メッセージは、報告に含めるリソース状態の種別及び報告をｅＮＢ２００に送る報告周期（Ｒｅｐｏｒｔｉｎｇ  Ｐｅｒｉｏｄｉｃｉｔｙ）の少なくとも一方を含んでもよい。
【０１４９】
なお、リソース状態の種別は、例えば、ＢＳＳ負荷（ＢＳＳ  Ｌｏａｄ：Ｂａｓｉｃ  Ｓｅｒｖｉｃｅ  Ｓｅｔ  ｌｏａｄ）、ＵＥ平均データレート（ＵＥ  Ａｖｅｒａｇｅ  ｄａｔａ  ｒａｔｅ）、ＢＳＳ平均アクセス遅延（ＢＳＳ  Ａｖｅｒａｇｅ  Ａｃｃｅｓｓ  Ｄｅｌａｙ）、ＢＳＳ  ＡＣアクセス遅延（ＢＳＳ  ＡＣ  Ａｃｃｅｓｓ  Ｄｅｌａｙ）及び、ＷＬＡＮメトリックス（ＷＬＡＮ  Ｍｅｔｒｉｃｓ）の少なくともいずれかを指定する情報である。ＢＳＳ負荷は、現在のエアートラフィックレベル上についての負荷である。ＵＥ平均データレートは、ＡＰ３００によって算出され、ＡＰ３００に接続するＵＥ１００に関する（上りリンク及び／又は下りリンクにおける）平均データレートである。ＢＳＳ平均アクセス遅延は、ＡＰ３００でのＢＳＳ負荷の相対的なレベルのスカラーインディケーションであり、ＡＰ３００において、送信のためにパケット（ＤＣＦ又はＥＤＣＡＦ  ＭＰＤＵ）が準備された時間から当該パケットが送信されたフレームまでの平均アクセス遅延である。ＢＳＳ  ＡＣアクセス遅延は、ＡＣ（アクセスコントローラ）でのＢＳＳ負荷の相対的なレベルのスカラーインディケーションであり、ＡＣにおいて、送信のためにパケット（ＤＣＦ又はＥＤＣＡＦ  ＭＰＤＵ）が準備された時間から当該パケットが送信されたフレームまでの平均アクセス遅延である。ＷＬＡＮメトリックスは、ＡＰ３００に関する上りリンク及び／又は下りリンクのＷＡＮ（バックホール）スピード及び負荷についての情報である。
【０１５０】
ＷＴ６００は、リソース状態応答（ＲＥＳＯＵＲＣＥ  ＳＴＡＴＵＳ  ＲＥＳＰＯＳＥ）メッセージをｅＮＢ２００に送る。ＷＴ６００は、ＡＰグループ単位でのリソース状態に関する報告を含むリソース状態応答メッセージをｅＮＢ２００に送ることができる。リソース状態応答メッセージは、測定対象の全て又は一部（サブセット）に関して要求された測定が正常に開始されたことを示すメッセージである。ＷＴ６００は、ＡＰ３００のリソース状態に関する測定を行い、測定結果をｅＮＢ２００に報告する。
【０１５１】
図１４に示すように、リソース状態応答メッセージは、ＡＰグループ単位でのリソース状態に関する報告（Ｇｒｏｕｐ  Ｍｅａｓｕｒｅｍｅｎｔ  Ｒｅｓｕｌｔ／ＡＰ  Ｍｅａｓｕｒｅｍｅｎｔ  Ｒｅｓｕｌｔ）を含んでもよい。ＡＰグループ単位でのリソース状態に関する報告（Ｇｒｏｕｐ  Ｍｅａｓｕｒｅｍｅｎｔ  Ｒｅｓｕｌｔ）は、ＡＰグループ単位でのリソース状態を示す値として、ＡＰグループを構成する各ＡＰ３００のリソース状態に基づいて算出された統計値を含んでもよい。統計値は、ＡＰ３００のリソース状態の平均値であってもよいし、同一グループ内でのＡＰ３００のリソース状態の最低値であってもよい。ＷＴ６００は、統計値を算出する場合に、有効なＡＰ３００のリソース状態を対象とし、無効なＡＰ３００のリソース状態を対象としなくてもよい。また、ＡＰグループ単位でのリソース状態に関する報告（ＡＰ  Ｍｅａｓｕｒｅｍｅｎｔ  Ｒｅｓｕｌｔ）は、ＡＰグループ単位でのリソース状態を示す値として、ＡＰグループを構成する各ＡＰ３００のリソース状態を示す値を含んでもよい。ここで、「ＡＰ  Ｍｅａｓｕｒｅｍｅｎｔ  Ｒｅｓｕｌｔ」は、ＡＰグループを構成する全てのＡＰ３００のリソース状態を示す値を含んでもよいし、ＡＰグループを構成する複数のＡＰ３００のうち、有効なＡＰ３００のリソース状態を示す値のみを含んでもよい。ＷＴ６００は、リソース状態の種別により、ｅＮＢ２００から指定されたリソース状態を報告に含めることができる。
【０１５２】
リソース状態応答メッセージは、ＡＰ３００のリソース状態として、ＢＳＳ負荷（ＢＳＳ  Ｌｏａｄ：Ｂａｓｉｃ  Ｓｅｒｖｉｃｅ  Ｓｅｔ  ｌｏａｄ）、ＵＥ平均データレート（ＵＥ  Ａｖｅｒａｇｅ  ｄａｔａ  ｒａｔｅ）、ＢＳＳ平均アクセス遅延（ＢＳＳ  Ａｖｅｒａｇｅ  Ａｃｃｅｓｓ  Ｄｅｌａｙ）、ＢＳＳ  ＡＣアクセス遅延（ＢＳＳ  ＡＣ  Ａｃｃｅｓｓ  Ｄｅｌａｙ）及び、ＷＬＡＮメトリックス（ＷＬＡＮ  Ｍｅｔｒｉｃｓ）の少なくともいずれかを含んでもよい。
【０１５３】
また、図１２に示すように、ＷＴ６００は、リソース状態更新（ＲＥＳＯＵＲＣＥ  ＳＴＡＴＵＳ  ＵＰＤＡＴＥ）メッセージを送る。ここで、ＷＴ６００は、ＡＰグループ単位でのリソース状態に関する報告を含むリソース状態更新メッセージをｅＮＢ２００に送ることができる。リソース状態更新メッセージは、要求された測定結果を報告するためのメッセージである。
【０１５４】
リソース状態更新メッセージは、上述したリソース状態応答メッセージと同様の情報を含むことができる（図１４参照）。また、ＷＴ６００は、リソース状態要求メッセージに含まれる報告周期に基づく周期で、リソース状態更新メッセージを報告できる。
【０１５５】
ｅＮＢ２００は、リソース状態要求メッセージに基づくリソース状態応答メッセージ及び／又はリソース状態更新メッセージを受け取る。これにより、ｅＮＢ２００は、ＡＰグループ単位でのＡＰのリソース状態に関する報告をＷＴ６００から受け取る。ｅＮＢ２００は、ＡＰグループ単位でのＡＰのリソース状態を考慮して、ＵＥ１００にトラフィック切り替え指示を送るか否かを判断する。ｅＮＢ２００は、ＡＰグループに属する各ＡＰ３００のリソース状態を示す値を受け取った場合には、上述のＷＴ６００と同様に、ＡＰグループ単位での統計値（例えば、平均値）を算出できる。ｅＮＢ２００は、算出されたＡＰグループ単位でのＡＰのリソース状態を考慮して、ＵＥ１００にトラフィック切り替え指示を送るか否かを判断する。
【０１５６】
ｅＮＢ２００は、ＡＰグループ単位でのＡＰのリソース状態が（要求される）ＵＥスループットを満たす場合（例えば、ＡＰグループ単位でのＡＰのリソース状態が閾値を越える場合）に、ＵＥ１００にトラフィック切り替え指示を送る。そうでない場合、ｅＮＢ２００は、ＵＥ１００にトラフィック切り替え指示を送ることを中止する。
【０１５７】
以上のように、ＷＴ６００は、ＡＰグループ単位でのＡＰのリソース状態に関する報告をｅＮＢ２００に送り、ｅＮＢ２００は、当該報告をＷＴ６００から受け取る。ｅＮＢ２００は、ＵＥ１００のトラフィック切り替えの対象となるＡＰ３００のリソース状態のみを考慮するだけでなく、トラフィック切り替えの対象となるＡＰ３００が属するＡＰグループ単位でのＡＰのリソース状態も考慮して、ＵＥ１００にトラフィック切り替え指示を送るか否かを判断できる。これにより、ＵＥ１００が、同一グループ内で自律的にトラフィック切り替えを行った場合であっても、ＵＥスループットが保証できる。
【０１５８】
（変更例）
次に、第２実施形態の変更例について説明する。上述した第２実施形態では、ｅＮＢ２００が、ＡＰグループ単位でのＡＰのリソース状態に基づいて判断していたが、これに限られない。ＷＴ６００が、ＡＰグループ単位でのＡＰのリソース状態に基づいて、ｅＮＢ２００からの要求に関する判断を行ってもよい。
【０１５９】
例えば、ｅＮＢ２００は、ＵＥ１００のデータをセルラ通信（ＬＴＥ通信）及びＷＬＡＮ通信を併用して送受信する技術であるセルラ・ＷＬＡＮアグリゲーションの要求をＷＴ６００に送るケースを想定する。
【０１６０】
なお、セルラ・ＷＬＡＮアグリゲーションは、ＵＥ１００のデータ（トラフィック）をセルラ通信及びＷＬＡＮ通信を併用して送受信する通信方式である。具体的には、セルラ・ＷＬＡＮアグリゲーションでは、同一の又は異なるデータベアラに属するトラフィック（ユーザデータ）をセルラ通信及びＷＬＡＮ通信を併用して送受信する。
【０１６１】
セルラ・ＷＬＡＮアグリゲーションが実行される場合、ＵＥ１００とＳＧＷ４００（ＥＰＣ２０）との間には、ＡＰ３００を介さずにｅＮＢ２００を介する第１のデータベアラと、ＡＰ３００及びｅＮＢ２００を介する第２のデータベアラと、が確立されている。なお、セルラ・ＷＬＡＮアグリゲーションが実行されている場合、第２のデータベアラのみが確立されていてもよいし、第１のデータベアラと第２のデータベアラとの両方が確立されていてもよい。
【０１６２】
第１のデータベアラは、通常のセルラ通信用のデータベアラである。一方、第２のデータベアラは、セルラ・ＷＬＡＮアグリゲーション用のデータベアラである。第２のデータベアラは、ｅＮＢ２００（例えば、ＰＤＣＰ層）において分割（ｓｐｌｉｔ）される。分割された一方（第２のデータベアラ−１）は、ＡＰ３００を介さずにＵＥ１００で終端しており、分割された他方（第２のデータベアラ−２）は、ＡＰ３００を介してＵＥ１００で終端する。なお、第２のデータベアラ−２は、ＡＰ３００だけでなくＷＴ６００を介してＵＥ１００で終端してもよい。
【０１６３】
ＵＥ１００は、セルラ・ＷＬＡＮアグリゲーションを実行している場合、少なくとも第２のデータベアラを用いてデータの送受信を行う。
【０１６４】
具体的には、セルラ・ＷＬＡＮアグリゲーションが実行されている場合、下りリンクにおいて、ｅＮＢ２００は、第２のデータベアラに属するデータをセルラ通信により送信するデータ（セルラ側データ）とＷＬＡＮ通信により送信するデータ（ＷＬＡＮ側データ）と分ける。ｅＮＢ２００は、セルラ側データを、第２のデータベアラ−１によってセルラ通信によりＵＥ１００に送信する。一方、ｅＮＢ２００は、ＷＬＡＮ側データを、直接的な通信路を用いて、ＡＰ３００に送信する。ＡＰ３００は、ｅＮＢ２００から受信したＷＬＡＮ側データを、第２のデータベアラ−２によってＷＬＡＮ通信によりＵＥ１００に送信する。
【０１６５】
一方、上りリンクにおいて、ＵＥ１００は、第２のデータベアラに属するデータをセルラ通信により送信するデータ（セルラ側データ）とＷＬＡＮ通信により送信するデータ（ＷＬＡＮ側データ）とに分ける。ＵＥ１００は、セルラ側データを、第２のデータベアラ−１によってセルラ通信によりｅＮＢ２００に送信する。一方、ＵＥ１００は、ＷＬＡＮ側データを、第２のデータベアラ−２によってＷＬＡＮ通信によりＡＰ３００に送信する。ＡＰ３００は、ＵＥ１００から受信したＷＬＡＮ側データを、直接的な通信路を用いて、ｅＮＢ２００に送信する。ｅＮＢ２００は、ＵＥ１００から受信したセルラ側データとＡＰ３００から受信したＷＬＡＮ側データとを結合（再構築）してＳＧＷ４００に送信する。
【０１６６】
なお、セルラ・ＷＬＡＮアグリゲーションにおいて、第２のデータベアラに属する全てのデータがセルラ通信により送受信されてもよいし、第２のデータベアラに属する全てのデータがＷＬＡＮ通信により送受信されてもよい。
【０１６７】
ここで、ｅＮＢ２００は、セルラ・ＷＬＡＮアグリゲーションを実行するために、セルラ・ＷＬＡＮアグリゲーションの対象となるＡＰ３００の識別情報を含むセルラ・ＷＬＡＮアグリゲーションの要求をＷＴ６００に送る。セルラ・ＷＬＡＮアグリゲーションの要求を受け取ったＷＴ６００は、ＡＰグループ単位でのＡＰのリソース状態に基づいて、セルラ・ＷＬＡＮアグリゲーションを受け入れるのか否かを判断する。従って、ＷＴ６００は、識別情報によって示されるＡＰ３００のリソース状態のみではなく、当該ＡＰ３００が属するＡＰグループ単位でのリソース状態も考慮して、セルラ・ＷＬＡＮアグリゲーションを受け入れるのか否かを判断する。
【０１６８】
ＷＴ６００は、識別情報によって示されるＡＰ３００のリソース状態が（要求される）ＵＥスループットを満たす場合であっても、同一のＡＰグループ単位でのＡＰのリソース状態がＵＥスループットを満たさない場合、セルラ・ＷＬＡＮアグリゲーションの要求を拒否してもよい。従って、ＷＴ６００は、ＡＰグループ単位でのリソース状態に基づいて、セルラ・ＷＬＡＮアグリゲーションの要求に対する応答（肯定応答／否定応答）をｅＮＢ２００に送ることができる。応答には、ＡＰグループ単位でのリソース状態が原因であることを示す理由情報が含まれてもよい。
【０１６９】
これにより、セルラ・ＷＬＡＮアグリゲーションを実行するＵＥ１００が、同一グループ内で自律的にトラフィック切り替えを行った場合であっても、ＵＥスループットが保証できる。
【０１７０】
［第３実施形態］
次に、第３実施形態について、図１５及び図１６を用いて説明する。図１５は、第３実施形態に係る動作を説明するためのシーケンス図である。図１６（Ａ）及び図１６（Ｂ）は、第３実施形態に係る動作を説明するための図である。
【０１７１】
第１実施形態では、ｅＮＢ２００がＡＰグループ情報をＷＴ６００に送るケースについて説明した。第３実施形態では、ＷＴ６００が、ＡＰグループ情報をｅＮＢ２００に送るケースについて説明する。なお、第１及び第２実施形態（変更例含む）と同様の部分は、説明を適宜省略する。
【０１７２】
図１５に示すように、ステップＳ１０において、ＵＥ１００は、ＡＰ３００に関する報告（Ｍｅａｓｕｒｅｍｅｎｔ  ｒｅｐｏｒｔ）をｅＮＢ２００に送信する。ｅＮＢ２００は、ＡＰ３００に関する報告をＵＥ１００から受信する。上述したように、ＡＰ３００に関する報告は、ＵＥ１００が検知したＡＰ３００の識別情報（ＡＰ  ＩＤ）を含むことができる。
【０１７３】
ステップＳ２０において、ｅＮＢ２００は、ＵＥ１００から報告されたＡＰ３００に関する情報をＷＴ６００に送ることができる。具体的には、ｅＮＢ２００は、ＡＰ３００に関する情報を含むＸｗセットアップ要求メッセージをＷＴ６００に送ることができる。例えば、図１６（Ａ）に示すように、Ｘｗセットアップ要求メッセージは、ＵＥ１００から報告されたＡＰ３００のリスト（Ｒｅｐｏｒｔｅｄ  ＡＰ  ｌｉｓｔ）を含む。ＡＰ３００のリストは、ＡＰ３００の識別情報を含む。当該リストは、１つのＵＥ１００から報告されたＡＰ３００のリストであってもよいし、複数のＵＥ１００から報告されたＡＰ３００のリストであってもよい。なお、Ｘｗセットアップ要求メッセージは、ＡＰ３００に関する情報だけでなく他の情報（例えば、ｅＮＢ２００−１の識別子（Ｇｌｏｂａｌ  ｅＮＢ  ＩＤ）、ｅＮＢ２００が管理するセルの情報（Ｓｅｒｖｅｄ  Ｃｅｌｌｓ）、ｅＮＢ２００が属する全てのプールのリスト（ＧＵ  Ｇｒｏｕｐ  Ｉｄ  Ｌｉｓｔ）など）を含んでもよいことは勿論である（図１６（Ａ）参照）。
【０１７４】
ＷＴ６００は、Ｘｗセットアップ要求メッセージをｅＮＢ２００から受け取る。これにより、ＷＴ６００は、ＡＰ３００に関する情報をｅＮＢ２００から受け取る。ＷＴ６００は、ＡＰ３００に関する情報によって示される各ＡＰ３００が属するＡＰグループを特定する。
【０１７５】
なお、ＡＰグループは、オペレータ（例えば、ＷＬＡＮ（ＡＰ、ＷＴ）を管理するオペレータ）により予め設定されていてもよいし、ＷＴ６００が、ＡＰグループを設定してもよい。例えば、ＷＴ６００は、上述した第１実施形態におけるｅＮＢ２００と同様に、各ＡＰ３００が属するＡＰグループを設定してもよい。
【０１７６】
ステップＳ３０において、ＷＴ６００は、各ＡＰ３００が属するＡＰグループに関するＡＰグループ情報（Ｒｅｐｏｒｔｅｄ  ＡＰ  Ｉｎｆｏ  ｌｉｓｔ）をｅＮＢ２００に送ることができる。具体的には、ＷＴ６００は、ＡＰグループ情報を含むＸｗセットアップ応答メッセージをｅＮＢ２００に送ることができる。ｅＮＢ２００は、ＡＰグループ情報をＷＴ６００から受け取ることができる。
【０１７７】
例えば、図１６（Ｂ）に示すように、Ｘｗセットアップ応答メッセージは、ｅＮＢ２００から通知された各ＡＰ３００が属するＡＰグループのリスト（ＡＰ  ｇｒｏｕｐ  ＩＤ  Ｌｉｓｔ）を含む。ＡＰグループのリスト（ＡＰ  ｇｒｏｕｐ  ＩＤ  Ｌｉｓｔ）は、各ＡＰグループの情報を含む。ＡＰグループのリストは、ｅＮＢ２００から通知された各ＡＰ３００が属するＡＰグループの識別情報（Ｇｒｏｕｐ  ＩＤ）を含んでもよい。ＡＰグループの識別情報は、グループに属するＡＰ３００の情報（ＡＰ  ＩＤ  Ｌｉｓｔ）と関連付けられていてもよい。ＡＰ  ＩＤ  Ｌｉｓｔは、ＡＰ３００の識別情報を含む。ＡＰ  ＩＤ  Ｌｉｓｔは、ｅＮＢ２００から通知された各ＡＰ３００のみに対応する情報であってもよい。或いは、ＡＰ  ＩＤ  Ｌｉｓｔは、ｅＮＢ２００から通知された各ＡＰ３００の情報と、ｅＮＢ２００から通知された各ＡＰ３００以外の（複数の）ＡＰ３００の情報と、を含んでもよい。すなわち、ＡＰ  ＩＤ  Ｌｉｓｔは、ｅＮＢ２００から通知された各ＡＰ３００の情報だけでなく、グループに属する他のＡＰ３００の情報を含んでもよい。また、ＷＴ６００からｅＮＢ２００に通知されるメッセージは、ｅＮＢ２００に通知するＡＰグループに属する全てのＡＰ３００の情報（ＡＰ３００の識別情報）を含んでもよい。
【０１７８】
例えば、ＡＰグループＡに、ＡＰ３００−１Ａ、ＡＰ３００−２Ａ及びＡＰ３００−３Ａが属するケースを想定する。ＷＴ６００は、ｅＮＢ２００からＡＰ３００−１Ａのみが通知された場合であっても、ＡＰグループＡに属するＡＰとして、ＡＰ３００−１Ａ、ＡＰ３００−２Ａ及びＡＰ３００−３Ａの全ての情報をｅＮＢ２００に知らせることができる。
【０１７９】
このように、ＷＴ６００は、ＡＰグループ情報として、ｅＮＢ２００から通知された各ＡＰ３００（すなわち、ＵＥ１００からｅＮＢ２００へ報告された各ＡＰ３００）に関する情報と、当該各ＡＰ３００と同じグループに属する当該各ＡＰ３００以外の各ＡＰ３００（すなわち、ＵＥ１００からｅＮＢ２００へ報告されていない各ＡＰ３００）に関する情報とを、ｅＮＢ２００に送ることができる。例えば、ＷＴ６００は、ＡＰグループに属する全てのＡＰ３００に関する情報をｅＮＢ２００に送ってもよい。ｅＮＢ２００は、ＡＰグループ情報として、ＵＥ１００から報告された各ＡＰ３００に関する情報と、当該各ＡＰ３００と同じグループに属する当該各ＡＰ３００以外の各ＡＰ３００（すなわち、ＵＥ１００からｅＮＢ２００へ報告されていない各ＡＰ３００）に関する情報とを、ＷＴ６００から受け取ることができる。ｅＮＢ２００は、ＡＰグループ情報として、ＡＰグループに属する全てのＡＰ３００に関する情報をＷＴ６００から受け取ることができる。なお、Ｘｗセットアップ応答メッセージは、ＡＰ３００に関する情報だけでなく他の情報（例えば、ＷＴ６００の識別子（Ｇｌｏｂａｌ  ＷＴ  ＩＤ）、臨界診断（Ｃｒｉｔｉｃａｌｉｔｙ  Ｄｉａｇｎｏｓｔｉｃｓ）など）を含んでもよい（図１６（Ｂ）参照）。尚、「臨界診断」は、「エラー診断」と解釈（理解）されてもよい。
【０１８０】
ｅＮＢ２００は、ＷＴ６００から受け取ったＡＰグループ情報に基づいて、各ＡＰ３００が属するＡＰグループを設定することができる。ｅＮＢ２００は、設定されたＡＰグループ情報をＵＥ１００に通知できる。
【０１８１】
ステップＳ４０において、ＵＥ１００は、ステップＳ１０と同様に、ＡＰ３００に関する報告をｅＮＢ２００に送信する。ＵＥ１００は、ステップＳ１０においてｅＮＢ２００に報告していないＡＰ３００を検知した場合、当該報告をｅＮＢ２００に送信してもよい。従って、ＵＥ１００は、新たに検知したＡＰ３００を報告するために、当該報告をｅＮＢ２００に送信してもよい。ＵＥ１００は、新たに検知したＡＰ３００の識別情報のみを当該報告に含めてもよいし、ＵＥ１００にログされているＡＰ３００の識別情報を当該報告に含めてもよい。ＵＥ１００は、ｅＮＢ２００に当該報告を送信した後、報告したＡＰ３００の情報を破棄してもよい。
【０１８２】
ステップＳ５０において、ｅＮＢ２００は、ＵＥ１００から報告されたＡＰ３００に関する情報をＷＴ６００に送ることができる。具体的には、ｅＮＢ２００は、ＡＰ３００に関する情報を含むｅＮＢ設定更新メッセージをＷＴ６００に送ることができる。ｅＮＢ設定更新メッセージは、ステップＳ２０と同様の情報を含むことができる。
【０１８３】
なお、ｅＮＢ２００は、ＵＥ１００から報告されたＡＰ３００が、ＷＴ６００から受け取ったＡＰグループ情報に含まれるＡＰ３００である場合、ステップＳ５０の処理を省略してもよい。
【０１８４】
ステップＳ６０において、ＷＴ６００は、ステップＳ５０においてｅＮＢ２００から通知された各ＡＰ３００が属するＡＰグループに関するＡＰグループ情報をｅＮＢ２００に送ることができる。具体的には、ＷＴ６００は、ＡＰグループ情報を含むｅＮＢ設定更新承認メッセージをｅＮＢ２００に送ることができる。ｅＮＢ設定更新承認メッセージは、ステップＳ３０と同様の情報を含むことができる。
【０１８５】
ステップＳ７０において、ＷＴ６００は、管理するＡＰ３００（又はＡＰ３００のグループ）の状況が変化したことを検出する。この場合、ＷＴ６００は、ステップＳ８０の処理を行う。ＷＴ６００は、管理するＡＰ３００の状況の変化に応じて、管理するＡＰ３００の情報（例えば、リスト）を更新した場合に、ステップＳ８０の処理を行ってもよい。ＷＴ３００は、例えば、以下の場合に、ＡＰ３００の状況が変化したことを検出してもよい。
【０１８６】
・ＡＰ３００が無効（ディアクティベート）になった場合
・ＡＰ３００が有効（アクティベート）になった場合
・ＷＴ６００が、（例えばＡＰ３００の故障により、）ＡＰ３００と通信不能になった場合
・ＷＴ６００が、（例えばＡＰ３００の復旧により、）ＡＰ３００と通信可能になった場合
・管理するＡＰ３００が増えた場合
・管理するＡＰ３００が減った場合
・ＡＰ３００が属するグループの変更があった場合
【０１８７】
ステップＳ８０において、ＷＴ６００は、状況が変化したＡＰ３００に関するＡＰグループ情報（ＡＰ  Ｉｎｆｏ  ｌｉｓｔ）をｅＮＢ２００に送ることができる。具体的には、ＷＴ６００は、ＡＰグループ情報を含むＷＴ設定更新メッセージをｅＮＢ２００に送ることができる。
【０１８８】
ＷＴ６００は、状況が変化したＡＰ３００の情報を管理するｅＮＢ２００を特定し、特定したｅＮＢ２００に対して、ＡＰグループ情報を送ってもよい。ＷＴ６００は、状況が変化したＡＰ３００の識別情報を過去に送信したｅＮＢ２００を、送信対象のｅＮＢ２００として特定してもよい。ＷＴ６００は、状況が変化したＡＰ３００が属するグループの情報を過去に送信したｅＮＢ２００を、送信対象のｅＮＢ２００として特定してもよい。
【０１８９】
ＷＴ６００は、ＡＰグループ情報として、状況が変化したＡＰ３００の識別子に加えて、ＡＰ３００の状況に関する情報をｅＮＢ２００に送ってもよい。例えば、ＡＰ３００の状況に関する情報は、「無効（ディアクティベート）」、「有効（アクティベート）」、「通信不能」、「通信可能」、「グループに追加されたＡＰ」、「グループから削除されたＡＰ」の少なくともいずれかを示す情報である。
【０１９０】
このように、ＷＴ６００は、ＵＥ１００からｅＮＢ２００へ報告されたＡＰ３００に関する情報の更新（当該ＡＰ３００の状況の変化）に応じて、ＡＰグループ情報（特に、更新されたＡＰ３００に関する情報）をｅＮＢ２００に送ることができる。また、ＷＴ６００は、ＵＥ１００からｅＮＢ２００へ報告されたＡＰ３００が属するグループに属する少なくとも１以上のＡＰ３００に関する情報の更新（当該ＡＰ３００の状況の変化）に応じて、ＡＰグループ情報（特に、ＵＥ１００からｅＮＢ２００へ報告されていないＡＰ３００であって更新されたＡＰ３００に関する情報）をｅＮＢ２００に送ってもよい。
【０１９１】
ｅＮＢ２００は、ＵＥ１００からｅＮＢ２００へ報告されたＡＰ３００に関する情報の更新（当該ＡＰ３００の状況の変化）に応じて送信されるＡＰグループ情報（特に、更新されたＡＰ３００に関する情報）をＷＴ６００から受け取ることができる。また、ｅＮＢ２００は、ＵＥ１００からｅＮＢ２００へ報告されたＡＰ３００が属するグループに属する少なくとも１以上のＡＰ３００に関する情報の更新に応じて送信されるＡＰグループ情報をｅＮＢ２００に送ってもよい。
【０１９２】
ｅＮＢ２００は、ＡＰグループ情報に基づいて、設定されたＡＰ３００を更新できる。ｅＮＢ２００は、更新されたＡＰ３００の情報をＵＥ１００に通知できる。
【０１９３】
ステップＳ９０において、ｅＮＢ２００は、ＷＴ設定更新承認メッセージをＷＴ６００に送ることができる。
【０１９４】
以上のように、ｅＮＢ２００は、ＵＥ１００から報告されたＡＰ３００に関する情報をＷＴ６００に送る。ｅＮＢ２００は、当該ＡＰ３００が属するＡＰグループに関するＡＰグループ情報を、ＷＴ６００から受け取る。これにより、ｅＮＢ２００は、自局に全く関連しないＡＰグループ情報を受け取ることなく、自局に関連するＡＰグループ情報のみを知ることができる。従って、ｅＮＢ２００とＷＴ６００とがＷＬＡＮに関する情報を適切に共有できる。
【０１９５】
（変更例）
次に、第３実施形態の変更例について、図１７を用いて説明する。図１７（Ａ）及び図１７（Ｂ）は、第３実施形態の変更例を説明するためのシーケンス図である。本変更例では、ＷＴ６００と異なるノード（以下、ＷＬＡＮノード７００）がＡＰグループを管理する。なお、第１及び第２実施形態（変更例含む）と同様の部分は、説明を適宜省略する。
【０１９６】
図１７（Ａ）に示すように、ステップＳ１１０において、ｅＮＢ２００は、ＵＥ１００から報告されたＡＰ３００に関する情報（Ｒｅｐｏｒｔｅｄ  ＡＰ  ｌｉｓｔ）をＷＴ６００に送ることができる。ｅＮＢ２００は、例えば、Ｘｗセットアップ要求、ｅＮＢ設定更新メッセージなどにより、ＡＰ３００に関する情報をＷＴ６００に送ることができる。ＷＴ６００は、ｅＮＢ２００から受け取ることができる。これにより、ｅＮＢ２００は、ＷＴ６００を経由して、ＡＰ３００に関する情報をＷＬＡＮノード７００に送ることができる。
【０１９７】
ＷＬＡＮノード７００は、オペレータ又はオペレータのパートナーが管理するノードである。オペレータのパートナーは、ＷＬＡＮを管理する。ＷＬＡＮノード７００は、ＷＬＡＮ内に設けられたノードであってもよい。ＷＬＡＮノード７００は、ＥＰＣ２０内に設けられたＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）５００と異なり、ＷＬＡＮを管理するためのＯＡＭであってもよい。ＷＬＡＮノードは、ＡＰグループを管理する。ＷＬＡＮノードが管理するＡＰグループは、オペレータ又はオペレータのパートナーにより予め設定されていてもよいし、ＷＬＡＮノード７００が、上述した第１実施形態におけるｅＮＢ２００と同様に、各ＡＰ３００が属するＡＰグループを設定してもよい。
【０１９８】
ステップＳ１２０において、ＷＬＡＮノード７００は、ｅＮＢ２００から通知された各ＡＰ３００が属するＡＰグループに関するＡＰグループ情報（Ｒｅｐｏｒｔｅｄ  ＡＰ  Ｉｎｆｏ  ｌｉｓｔ）をＷＴ６００に送ることができる。ＷＴ６００は、ＷＬＡＮノード７００から受け取ったＡＰグループ情報をｅＮＢ２００に送ることができる。これにより、ＷＬＡＮノード７００は、ＷＴ６００を介して、ＡＰグループ情報をｅＮＢ２００に送ることができる。
【０１９９】
このように、ｅＮＢ２００は、ＷＴ６００を介して、ＵＥ１００から報告されたＡＰ３００に関する情報をＷＬＡＮノード７００に送り、当該ＡＰ３００が属するＡＰグループに関するＡＰグループ情報を、ＷＬＡＮノード７００から受け取ることができる。
【０２００】
また、図１７（Ｂ）に示すように、ステップＳ２１０において、ＷＬＡＮノード７００は、第３実施形態と同様に、管理するＡＰ３００（又はＡＰ３００のグループ）の状況が変化したことを検出した場合、ＡＰグループ情報（ＡＰ  Ｉｎｆｏ  ｌｉｓｔ）を、ＷＴ６００を介して、ｅＮＢ２００に送ることができる。
【０２０１】
ステップＳ２２０において、ｅＮＢ２００は、ＡＰグループ情報の受信に応じて、肯定応答（ＡＣＫ）を、ＷＴ６００を介してＷＬＡＮノード７００に送ることができる。
【０２０２】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０２０３】
上述した各実施形態において、ＷＴ６００は、例えば、ＡＰ３００を管理（制御）するＡＣ（アクセスコントローラ）であってもよい。ＷＴ６００は、ＡＣの上位ノードであり、ＡＣを管理するネットワーク装置であってもよい。
【０２０４】
上述した各実施形態及び各変更例に係る動作は、適宜組み合わせて実行されてもよい。
【０２０５】
例えば、第１及び第２実施形態において、第３実施形態のように、ＷＬＡＮノード７００が、ＡＰグループの情報を管理していてもよい。ＷＴ６００は、ｅＮＢ２００から受け取った情報をＷＬＡＮノード７００に送ることができる。また、ＷＴ６００は、ＷＬＡＮノード７００から受け取った情報をｅＮＢ２００に送ることができる。
【０２０６】
上述した第３実施形態において、ｅＮＢ２００は、ＵＥ１００からＡＰ３００に関する報告を直接受信していたが、これに限られない。ｅＮＢ２００は、近隣ｅＮＢ２００を介して受け取ったＡＰ３００に関する報告をＷＴ６００に送ってもよい。近隣ｅＮＢ２００は、ＵＥ１００がＡＰ３００の検出と同時にｅＮＢ２００のセルを検出している場合には、ｅＮＢ２００にＵＥ１００からの報告を転送してもよい。例えば、近隣ｅＮＢ２００は、ＵＥ１００からの報告にＡＰ３００の識別情報だけでなく、セルの識別情報（セルＩＤ）も含む場合に、当該セルを管理するｅＮＢ２００に転送してもよい。
【０２０７】
上述した第３実施形態において、ＵＥ１００、ｅＮＢ２００及びＷＴ６００の動作を一連のシーケンスで説明したが、一部の動作のみが実行され、全ての動作が実行されなくてもよい。例えば、ステップＳ２０及びＳ３０の動作が省略されてもよいし、ステップＳ８０及びＳ９０の動作が省略されてもよい。
【０２０８】
上述した実施形態では特に触れていないが、上述した各ノード（ＵＥ１００、ｅＮＢ２００、ＡＰ３００、ＭＭＥ４００、ＷＴ６００など）のいずれかが行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０２０９】
或いは、ＵＥ１００、ｅＮＢ２００及びＡＰ３００のいずれかが行う各処理を実行するためのプログラムを記憶するメモリ及びメモリに記憶されたプログラムを実行するプロセッサ）によって構成されるチップが提供されてもよい。
【０２１０】
上述した実施形態では、移動通信システムの一例としてＬＴＥシステムを説明したが、ＬＴＥシステムに限定されるものではなく、ＬＴＥシステム以外のシステムに本発明を適用してもよい。
【０２１１】
［付記］
この付記では、潜在的なパラメータの交換方法にフォーカスする。
【０２１２】
（１）検討
パラメータ（例えば、ＴＲ３７．８７０で利点があると考慮されたパラメータやアグリゲーション及びインターワーキングエンハンスメントのために利点があると見られる可能性があるパラメータ）の交換に関する手順及びシグナリングを明確にすることがキャプチャされた。
【０２１３】
２つのユースケースに関して潜在的なパラ−メータを選択できるだろう。ｅＮＢは、Ｘ２ＡＰインターフェイス及び、隣接ｅＮＢとの間でいくつかのパラメータを交換する手順を有するので、潜在的なパラメータを交換するための新たなＸｗ手順の最初の検討を考慮すべきである。
【０２１４】
潜在的なパラメータは、最新情報（以下の表１参照）の交換期間の観点から、２つのタイプに分類することができ、ＷＬＡＮ  ＡＰ識別子は、頻繁に交換する必要が無く、このパラメータは、例えば、ＡＰ電源のオン／オフなどのイベントトリガにより交換されるであろうことを意味する。他のパラメータに関して、それらのパラメータは、動的な情報（例えば、トラフィックレベル、バックホール遅延）を表すので、ｅＮＢが、ＷＬＡＮでのＵＥスループットを評価するために頻繁に最新のそれらのパラメータを得ることが望ましい。
【０２１５】
ＡＰの情報を識別するために、ＷＬＡＮ識別子が、他のパラメータと共に交換されてもよいことに留意すべきである。
【０２１６】
【表１】
2017026441.tif 000003
【０２１７】
表１は、潜在的なパラメータの分類の表である。
【０２１８】
上述の分類を考慮して、以下のＸ２手順にフォーカスする。
【０２１９】
（ａ）ｅＮＢ設定更新手順及びセルアクティベーション手順
ｅＮＢ設定更新手順は、他のノードに最新の設定（例えば、サービスを提供するセル情報）を提供するためのものある。例えば、ｅＮＢがセルをオフにする場合、この手順は、設定変更を近隣のｅＮＢに通知するために使用されるであろう。ＷＬＡＮのケースでは、配置されたＡＰが何らかの理由（例えば故障）でオフになっている可能性があるので、ｅＮＢがＳＩＢからＡＰの情報を削除できるように、ＷＴは、ｅＮＢにこのようなＡＰの設定情報を提供する必要があってもよい。ＡＰの故障のケースでは、ＡＰが故障から回復した場合、ｅＮＢは、このような事実を知っておく必要があるかもしれない。最新の設定を知る目的は、ｅＮＢの設定の更新手順と同じであるので、この手順を、ＷＬＡＮのケースのための新しいＸｗ手順のベースラインとして再利用することができるだろう。
【０２２０】
セルアクティベーション手順は、他のノードへのセルアクティベーションの要求のためである。例えば、トラフィック需要が増加し、閾値を超える／に達した場合、ｅＮＢは、負荷バランシングの候補セルとして、１以上のセル（例えば、エナジーセービング理由が原因で不活性である）をオンに切り替えることを隣接ｅＮＢへ要求できるだろう。ＷＬＡＮのケースでは、ｅＮＢが、同じ目的のために他の候補としてのＡＰをオンに切り替えることをＷＴに要求することは自然であるので、セルアクティベーション手順を、ＡＰアクティベーションのための新しいＸｗ手順のベースラインとして再利用することができるだろう。
【０２２１】
（ｂ）リソース状態報告手順
この手順は、負荷測定の報告（例えば、ハードウェア負荷インディケータ、無線リソース状態）を他のｅＮＢへ要求することが明確化されている。ｅＮＢは、測定を要求するために、特定のｅＮＢへリソース状態要求メッセージを送り、当該メッセージを受け取ったｅＮＢは、測定を開始し、リソース状態更新メッセージとして測定結果を（報告周期ＩＥが含まれている場合）周期的に報告する。ＴＲでキャプチャされたパラメータもＡＰの負荷状態に関連する。さらに、ｅＮＢは、「周期的に」これらのパラメータを取得する必要があるので、現在のリソース状況報告手順は、このような要求を満たす可能性があり、新たなＸｗ手順のベースラインとして、３ＧＰＰとＷＬＡＮと間の負荷情報を共有するために再利用することができるだろう。
【０２２２】
Ｘｗ手順の初期の検討のためにＸ２ＡＰの既存の手順を考慮すべきである。
【０２２３】
ＵＥの平均データレートに関して、このパラメータは、ＵＥ関連シグナリングを要求するように思えるので、このパラメータの交換にリソース状態報告手順が適切かどうかは更なる課題であることに留意すべきである。
【０２２４】
提案１：ＷＬＡＮ識別子の交換のために、Ｘ２ＡＰのｅＮＢ設定更新及びセルアクティベーション手順をベースライン手順として再利用すべきである。
【０２２５】
提案２：ＷＬＡＮノードの負荷測定の交換のために、リソース状態報告手順をベースライン手順として再利用すべきである。
【０２２６】
（２）結論
この付記では、新たなＸｗ手順のためのベースラインとして、Ｘ２ＡＰの候補手順を提案する。
【０２２７】
なお、米国仮出願第６２／２０３６３９号（２０１５年８月１１日出願）及び日本国特許出願第２０１５−１８８０８６号（２０１５年９月２５日出願）の全内容が、参照により、本願明細書に組み込まれている。
【図１】
2017026441.tif 000004
【図２】
2017026441.tif 000005
【図３】
2017026441.tif 000006
【図４】
2017026441.tif 000007
【図５】
2017026441.tif 000008
【図６】
2017026441.tif 000009
【図７】
2017026441.tif 000010
【図８】
2017026441.tif 000011
【図９】
2017026441.tif 000012
【図１０】
2017026441.tif 000013
【図１１】
2017026441.tif 000014
【図１２】
2017026441.tif 000015
【図１３】
2017026441.tif 000016
【図１４】
2017026441.tif 000017
【図１５】
2017026441.tif 000018
【図１６】
2017026441.tif 000019
【図１７】
2017026441.tif 000020
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
通信方法であって、
Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局が、前記セルラ基地局が管理する複数の無線ＬＡＮ識別情報を、無線ＬＡＮアクセスポイントを管理する無線ＬＡＮ終端ノードに送るステップと、
前記無線ＬＡＮ終端ノードが、前記複数の無線ＬＡＮ識別情報を前記セルラ基地局から受信するステップと、を備え、
前記複数の無線ＬＡＮ識別情報は、前記セルラ基地局と前記無線ＬＡＮ終端ノードとの間に形成されたインターフェイスを介して送られる、通信方法。
【請求項２】
前記複数の無線ＬＡＮ識別情報を送るステップにおいて、前記セルラ基地局が、前記複数の無線ＬＡＮ識別情報を含むメッセージを前記無線ＬＡＮ終端ノードに送り、
前記メッセージは、当該メッセージで与えられたパラメータに従って要求された測定を前記無線ＬＡＮ終端ノードが開始するためのメッセージである請求項１に記載の通信方法。
【請求項３】
前記メッセージは、前記要求された測定の報告に含める情報として、Ｂａｓｉｃ  Ｓｅｒｖｉｃｅ  Ｓｅｔ（ＢＳＳ）負荷を指定する情報を含む請求項２に記載の通信方法。
【請求項４】
前記メッセージは、前記要求された測定の報告に含める情報として、無線ＬＡＮにおける上りリンク及び下りリンクの少なくとも一方のバックホール負荷を指定する情報を含む請求項２に記載の通信方法。
【請求項５】
前記複数の無線ＬＡＮ識別情報を受信するステップにおいて、前記無線ＬＡＮ終端ノードが、前記複数の無線ＬＡＮ識別情報を含むメッセージを前記セルラ基地局から受信し、
前記無線ＬＡＮ終端ノードが、前記メッセージの受信に応じて、前記要求された測定の報告を前記メッセージに対する応答として、前記セルラ基地局へ送るステップを備える請求項２に記載の通信方法。
【請求項６】
前記複数の無線ＬＡＮ識別情報を送るステップにおいて、前記セルラ基地局が、前記複数の無線ＬＡＮ識別情報を含むメッセージを前記無線ＬＡＮ終端ノードに送り、
前記メッセージは、前記セルラ基地局及び無線ＬＡＮ終端ノードを介したベアラを用いた通信を要求するためのメッセージである請求項１に記載の通信方法。
【請求項７】
前記セルラ基地局が、前記インターフェイス上で前記セルラ基地局及び前記無線ＬＡＮ終端ノードのために必要な情報を交換するための手順を開始するためのメッセージを前記無線ＬＡＮ終端ノードに送るステップと、
前記無線ＬＡＮ終端ノードが、前記メッセージを前記セルラ基地局から受信するステップと、
前記無線ＬＡＮ終端ノードが、前記メッセージ対する応答を前記セルラ基地局に送るステップと、を備え、
前記応答は、前記無線ＬＡＮ終端ノードが管理する複数の無線ＬＡＮ識別情報を含む請求項１に記載の通信方法。
【請求項８】
前記応答は、前記無線ＬＡＮ終端ノードの識別情報をさらに含む請求項７に記載の通信方法。
【請求項９】
前記無線ＬＡＮ終端ノードが、前記無線ＬＡＮ終端ノードにおいて更新された複数の無線ＬＡＮ識別情報を含むＷＴ  ＣＯＮＦＩＧＵＲＡＴＩＯＮ  ＵＰＤＡＴＥメッセージを前記セルラ基地局へ送るステップを備える請求項１に記載の通信方法。
【請求項１０】
前記更新された複数の無線ＬＡＮ識別情報に関する情報は、前記無線ＬＡＮ終端ノードにより追加された無線ＬＡＮ識別情報を含む請求項９に記載の通信方法。
【請求項１１】
前記更新された複数の無線ＬＡＮ識別情報に関する情報は、前記無線ＬＡＮ終端ノードにより削除された無線ＬＡＮ識別情報を含む請求項９に記載の通信方法。
【請求項１２】
前記複数の無線ＬＡＮ識別情報は、無線端末が、前記セルラ基地局からの指示なく無線ＬＡＮアクセスポイント間のトラフィック切り替えを行うことが可能である複数の無線ＬＡＮアクセスポイントを示す請求項１に記載の通信方法。
【請求項１３】
前記複数の無線ＬＡＮ識別情報は、前記セルラ基地局に設定された無線ＬＡＮアクセスポイントのグループを構成する複数の無線ＬＡＮアクセスポイントを示す請求項１に記載の通信方法。
【請求項１４】
Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局であって、
制御部を備え、
前記制御部は、前記セルラ基地局が管理する複数の無線ＬＡＮ識別情報を、無線ＬＡＮアクセスポイントを管理する無線ＬＡＮ終端ノードに送るよう構成され、
前記複数の無線ＬＡＮ識別情報は、前記セルラ基地局と前記無線ＬＡＮ終端ノードとの間に形成されたインターフェイスを介して送られる、セルラ基地局。
【請求項１５】
無線ＬＡＮアクセスポイントを管理する無線ＬＡＮ終端ノードであって、
制御部を備え、
前記制御部は、Ｅ−ＵＴＲＡＮ（Ｅｖｏｌｅｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成するセルラ基地局から、前記セルラ基地局が管理する複数の無線ＬＡＮ識別情報を受信するよう構成され、
前記複数の無線ＬＡＮ識別情報は、前記セルラ基地局と前記無線ＬＡＮ終端ノードとの間に形成されたインターフェイスを介して送られる、無線ＬＡＮ終端ノード。
【国際調査報告】
2017026441.tif 000021
2017026441.tif 000022
2017026441.tif 000023
2017026441.tif 000024
2017026441.tif 000025
2017026441.tif 000026
2017026441.tif 000027
2017026441.tif 000028
2017026441.tif 000029
2017026441.tif 000030
2017026441.tif 000031